(57)【特許請求の範囲】
【請求項１】
移動端末装置及び外部ゲートウェイ装置を有する移動体通信システムにおける移動端末装置であって、
前記移動端末装置は、前記外部ゲートウェイ装置との間のデータの送受信に用いる単一のＰＤＮコネクションの確立を要求し、
前記要求によって確立されるＰＤＮコネクションに割り当てられたアドレスブロックを、前記外部ゲートウェイ装置から取得し、
複数のＩＰアドレスを前記アドレスブロックから生成し、
前記複数のＩＰアドレスをそれぞれ送信元として含む複数のデータを、前記ＰＤＮコネクションを経由して、前記外部ゲートウェイ装置に送信し、
前記複数のＩＰアドレスをそれぞれ送信先として含む複数のデータを、前記ＰＤＮコネクションを経由して、前記外部ゲートウェイ装置から受信する
ことを特徴とする移動端末装置。
【請求項２】
前記移動端末装置は、前記外部ゲートウェイ装置と複数の情報端末装置との間の通信に用いる単一のＰＤＮコネクションの確立を要求し、
前記要求によって確立されるＰＤＮコネクションに割り当てられたアドレスブロックを、前記外部ゲートウェイ装置から取得し、
ＩＰアドレスを前記情報端末装置に割り当て、前記ＰＤＮコネクションを経由した前記複数の情報端末装置と前記外部ゲートウェイ装置との間のユーザデータをルータとして転送する
ことを特徴とする請求項１に記載の移動端末装置。
【請求項３】
前記単一のＰＤＮコネクションの確立を要求する際に、前記ＰＤＮコネクションに割り当てるためのアドレスブロックのアドレスタイプを通知する
ことを特徴とする請求項１又は２に記載の移動端末装置。
【請求項４】
前記アドレスタイプは、ＩＰｖ４タイプ及びＩＰｖ６タイプとして指定される
ことを特徴とする請求項３に記載の移動端末装置。
【請求項５】
取得される前記アドレスブロックは、ＩＰｖ６プレフィックスである
ことを特徴とする請求項１又は２に記載の移動端末装置。
【請求項６】
前記移動端末装置は、ＤＨＣＰｖ６を用いて、前記外部ゲートウェイ装置に対して、前記ＰＤＮコネクションに割り当てられるＩＰｖ６プレフィックスを要求する
ことを特徴とする請求項１又は２に記載の移動端末装置。
【請求項７】
前記ＩＰｖ６プレフィックスは、上位６４ビット未満である
ことを特徴とする請求項５又は６に記載の移動端末装置。
【請求項８】
移動端末装置及び外部ゲートウェイ装置を有する移動体通信システムにおける外部ゲートウェイ装置であって、
前記移動端末装置から、前記移動端末装置との間のデータの送受信に用いる単一のＰＤＮコネクションの確立の要求によって、前記ＰＤＮコネクションを確立し、
前記ＰＤＮコネクションにアドレスブロックを割り当て、前記移動端末装置に前記アドレスブロックを通知し、
前記アドレスブロックから複数生成されたＩＰアドレスをそれぞれ送信元として含む複数のデータを、前記ＰＤＮコネクションを経由して、前記移動端末装置から受信し、
前記複数生成されたＩＰアドレスをそれぞれ送信先として含む複数のデータを、前記ＰＤＮコネクションを経由して、前記移動端末装置に送信する
ことを特徴とする外部ゲートウェイ装置。
【請求項９】
前記移動端末装置からの前記単一のＰＤＮコネクションの確立の要求によって、前記ＰＤＮコネクションに割り当てるためのアドレスブロックのアドレスタイプを取得する
ことを特徴とする請求項８に記載の外部ゲートウェイ装置。
【請求項１０】
前記アドレスタイプは、ＩＰｖ４タイプ及びＩＰｖ６タイプとして指定される
ことを特徴とする請求項９に記載の外部ゲートウェイ装置。
【請求項１１】
前記アドレスブロックは、ＩＰｖ６プレフィックスである
ことを特徴とする請求項８に記載の外部ゲートウェイ装置。
【請求項１２】
前記移動端末装置から、ＤＨＣＰｖ６を用いて、前記ＰＤＮコネクションに割り当てるＩＰｖ６プレフィックスの要求を受信する
ことを特徴とする請求項８に記載の外部ゲートウェイ装置。
【請求項１３】
前記ＩＰｖ６プレフィックスは、上位６４ビット未満である
ことを特徴とする請求項１１又は１２に記載の外部ゲートウェイ装置。
【発明の詳細な説明】
【技術分野】
【０００１】
本発明は、移動端末装置、外部ゲートウェイ装置及び通信方法に関する。
本願は、２００９年３月２７日に、日本に出願された特願２００９−０７９９６２号に基づき優先権を主張し、その内容をここに援用する。
【背景技術】
【０００２】
第３世代移動体通信システムとして標準化されているＵＭＴＳ（Universal Mobile Telecommunications System；全世界移動体通信システム）では、ＵＭＴＳ無線インタフェースを搭載する移動端末としてＭＴ（Mobile Terminal）が規定され、ＭＴに接続する端末装置としてＴＥ（Terminal Equipment）が規定されている。さらにＭＴとＴＥは、併せてＵＥ（User Equipment；ユーザ機器）と呼ばれる。
【０００３】
ＴＥ−ＭＴ間インタフェースは、非特許文献１（ＴＳ２７．０６０）に規定されており、ノートＰＣ（Personal Computer；パーソナルコンピュータ）のようなＵＭＴＳ無線インタフェースを搭載しないＴＥが、ＭＴ上に搭載されたＵＭＴＳ無線インタフェースを経由して外部ネットワークであるＰＤＮ（Packet Data Network；パケットデータネットワーク）に接続する手順が示されている。ＴＥ−ＭＴ間の物理インタフェースには、シリアルケーブルやＵＳＢ（Universal Serial Bus；ユニバーサルシリアルバス）ケーブルなどの有線インタフェースだけでなく、Ｂｌｕｅｔｏｏｔｈ（登録商標）などの無線インタフェースを用いることも可能であるが、ＰＰＰ（Point-To-Point Protocol；ポイントツーポイントプロトコル）を用いることが規定されている。
【０００４】
また、特許文献１では、ＴＥ−ＭＴ間インタフェースの代わりにイーサネット（登録商標）及びＤＨＣＰ（Dynamic Host Configuration Protocol；動的ホスト設定プロトコル）を用いてＴＥへのＩＰ（Internet Protocol；インターネットプロトコル）アドレス割り当て及びＰＤＮへの接続を提供する方法が開示されている。さらに、このＴＥ−ＭＴ間インタフェースは、次世代の移動体通信システムとして３ＧＰＰ（3rd Generation Partnership Project；第３世代パートナーシッププロジェクト）で標準化されているＥＰＳ（Evolved Packet System；発展形パケットシステム）においても利用可能となると想定される。
【０００５】
ＥＰＳにおいてＵＥがＰＤＮに接続するための手順は、非特許文献２（ＴＳ２３．４０１）に規定されている。ＵＥは、まず無線アクセスネットワークにアタッチした後、ＰＤＮコネクションと呼ばれる論理パス接続をＰＤＮに対して確立する。
ＰＤＮは、ＡＰＮ（Access Point Name；アクセスポイント名）によって一意に識別され、外部ゲートウェイ装置であるＰＤＮ−ＧＷを介してコアネットワークと接続される。ＰＤＮコネクションは、ＵＥが接続するＰＤＮ−ＧＷ毎に確立される。また、同一ＰＤＮ−ＧＷ経由であっても異なるＰＤＮに接続する場合には、独立したＰＤＮコネクションが必要となる。
【０００６】
１つのＰＤＮコネクションは、ＥＰＳベアラと呼ばれるユーザＩＰパケットを転送する際の論理パスを複数束ねており、さらにＥＰＳベアラ毎に異なるＱｏＳ（Quality of Service；サービス品質）クラス、課金ルールなどを割り当てることができる。従ってＵＥのパケット送信先や利用するトランスポートプロトコル、ポート番号によって各ＩＰパケットに異なるＱｏＳクラス、課金ルールを適用することも可能である。
【先行技術文献】
【特許文献】
【０００７】
【特許文献１】特表２００８−５１１２２２号公報
【非特許文献】
【０００８】
【非特許文献１】TS 27.060 Packet domain; Mobile Station (MS) supporting Packet Switched services
【非特許文献２】TS 23.401 General Packet Radio Service (GPRS) enhancements for Evolved Universal Terrestrial Radio Access Network (E-UTRAN) access
【発明の概要】
【発明が解決しようとする課題】
【０００９】
しかしながら、ＵＥとして単体でＥＰＳに接続できる移動端末装置と、ＥＰＳへ直接接続するための無線インタフェースを有さないＰＤＡやノートＰＣなどの複数のＴＥとを、ユーザが持ち歩き、それらの機器間をローカルに接続するアドホックネットワークを形成するとともに、そのアドホックネットワークに接続するＴＥが移動端末装置をＭＴとして用いてＰＤＮへの接続を行う場合には、以下のように処理負荷が増大したり、提供可能なサービスが制限されたりするという問題がある。
【００１０】
従来は、ＰＤＮコネクションはＴＥ毎に確立される。従って、複数のＴＥが同一ＰＤＮかつ同一ＰＤＮ−ＧＷに接続する場合であっても、ＴＥ数だけＰＤＮコネクションの確立手続きを必要とする。また、ＴＥが接続する移動端末装置自身も、ＥＰＳに接続し、通信サービスを享受するために移動端末装置用のＰＤＮコネクションを確立する。しかし、いずれのＰＤＮコネクションについても、共通の移動端末装置が起点となり確立されているにも係わらず、集約することができなかったため、システム全体として管理情報が増加するという点で処理負荷が増大してしまうという問題がある。さらに、ハンドオーバ時にも、全ＰＤＮコネクションについてＰＤＮコネクション毎に再確立手続きを行うことが必要であり、システム全体の処理負荷が増大してしまう。
【００１１】
ＰＤＮコネクションの数が増えないように、上記の移動端末装置にＮＡＴ（Network Address Translator；ネットワークアドレストランスレータ）を搭載し、移動端末装置に割り当てられた１つのＩＰアドレスと１つのＰＤＮコネクションを移動端末装置及び複数ＴＥで共有する方法も考えられる。しかし、この場合は、移動端末装置の実装が複雑になるだけでなく、ＴＥが送受信する全パケットを移動端末装置がチェックし、必要に応じてパケットヘッダやペイロードを書き換える処理が必要となり、移動端末装置の処理負荷が増大する。結果として、スループットの低下、移動端末装置のバッテリー消費の増加といった問題が生じる。さらに、移動端末装置自体が送信するパケットと、ＴＥが送信するパケットとを、コアネットワークの観点から区別することができないため、パケット送信元に関わらず同じＱｏＳクラス、課金ルールを適用せざるを得ないという制約が生じ、利用形態によって異なる課金モデルを適用するというような多種多様なサービスモデルの実現を阻害するという問題もある。
【００１２】
本発明は、このような事情を鑑みてなされたもので、その目的は、移動端末装置と複数のＴＥとの間でアドホックネットワークを形成するとともに、そのＴＥが移動端末装置をＭＴとして用いてＰＤＮへの接続を行う場合であっても、処理負荷の増大および提供可能なサービスの制限を抑制することである。
【課題を解決するための手段】
【００１３】
（１）  本発明は、上記課題を解決するためになされたもので、本発明の第１の態様は、移動端末装置及び外部ゲートウェイ装置を有する移動体通信システムにおける移動端末装置であって、前記移動端末装置は、前記外部ゲートウェイ装置との間のデータの送受信に用いる単一のＰＤＮコネクションの確立を要求し、前記要求によって確立されるＰＤＮコネクションに割り当てられたアドレスブロックを、前記外部ゲートウェイ装置から取得し、少なくとも１つのＩＰアドレスを前記アドレスブロックから生成し、前記ＩＰアドレスを送信元として含むデータを、前記ＰＤＮコネクションを経由して、前記外部ゲートウェイ装置に送信し、前記ＩＰアドレスを送信先として含むデータを、前記ＰＤＮコネクションを経由して、前記外部ゲートウェイ装置から受信する。
【００１４】
（２）  本発明の第２の態様は、少なくとも１つの情報端末装置、移動端末装置及び外部ゲートウェイ装置を有する移動体通信システムにおける移動端末装置であって、前記移動端末装置は、前記外部ゲートウェイ装置と前記少なくとも１つの情報端末装置との間の通信に用いる単一のＰＤＮコネクションの確立を要求し、前記要求によって確立されるＰＤＮコネクションに割り当てられたアドレスブロックを、前記外部ゲートウェイ装置から取得し、ＩＰアドレスを前記情報端末装置に割り当て、前記ＰＤＮコネクションを経由した前記少なくとも１つの情報端末装置と前記外部ゲートウェイ装置との間のユーザデータをルータとして転送する。
【００１５】
（３）  なお、本発明の第１又は第２の態様において、前記単一のＰＤＮコネクションの確立を要求する際に、前記ＰＤＮコネクションに割り当てるためのアドレスブロックのアドレスタイプを通知しても良い。
【００１６】
（４）  また、本発明の第１又は第２の態様において、前記アドレスタイプは、ＩＰｖ４タイプ及びＩＰｖ６タイプとして指定されても良い。
【００１７】
（５）  また、本発明の第１又は第２の態様において、取得される前記アドレスブロックは、ＩＰｖ６プレフィックスであっても良い。
【００１８】
（６）  また、本発明の第１又は第２の態様において、前記移動端末装置は、ＤＨＣＰｖ６を用いて、前記外部ゲートウェイ装置に対して、前記ＰＤＮコネクションに割り当てられるＩＰｖ６プレフィックスを要求しても良い。
【００１９】
（７）  また、本発明の第１又は第２の態様において、前記ＩＰｖ６プレフィックスは、上位６４ビット未満であっても良い。
【００２０】
（８）  本発明の第３の態様は、移動端末装置及び外部ゲートウェイ装置を有する移動体通信システムにおける外部ゲートウェイ装置であって、前記移動端末装置から、前記移動端末装置との間のデータの送受信に用いる単一のＰＤＮコネクションの確立の要求によって、前記ＰＤＮコネクションを確立し、前記ＰＤＮコネクションにアドレスブロックを割り当て、前記移動端末装置に前記アドレスブロックを通知し、前記アドレスブロックから少なくとも１つ生成されたＩＰアドレスを送信元として含むデータを、前記ＰＤＮコネクションを経由して、前記移動端末装置から受信し、前記ＩＰアドレスを送信先として含むデータを、前記ＰＤＮコネクションを経由して、前記移動端末装置に送信する。
【００２１】
（９）  なお、本発明の第３の態様において、前記移動端末装置からの前記単一のＰＤＮコネクションの確立の要求によって、前記ＰＤＮコネクションに割り当てるためのアドレスブロックのアドレスタイプを取得しても良い。
【００２２】
（１０）  また、本発明の第３の態様において、前記アドレスタイプは、ＩＰｖ４タイプ及びＩＰｖ６タイプとして指定されても良い。
【００２３】
（１１）  本発明の第３の態様において、前記アドレスブロックは、ＩＰｖ６プレフィックスであっても良い。
【００２４】
（１２）  本発明の第３の態様において、前記移動端末装置から、ＤＨＣＰｖ６を用いて、前記ＰＤＮコネクションに割り当てるＩＰｖ６プレフィックスの要求を受信しても良い。
【００２５】
（１３）  本発明の第３の態様において、前記ＩＰｖ６プレフィックスは、上位６４ビット未満であっても良い。
【００２６】
（１４）  本発明の第４の態様は、移動端末装置及び外部ゲートウェイ装置を有する移動体通信システムにおける移動端末装置の通信方法であって、前記移動端末装置は、前記外部ゲートウェイ装置との間のデータの送受信に用いる単一のＰＤＮコネクションの確立を要求し、前記要求によって確立されるＰＤＮコネクションに割り当てられたアドレスブロックを、前記外部ゲートウェイ装置から取得し、少なくとも１つのＩＰアドレスを前記アドレスブロックから生成し、前記ＩＰアドレスを送信元として含むデータを、前記ＰＤＮコネクションを経由して、前記外部ゲートウェイ装置に送信し、前記ＩＰアドレスを送信先として含むデータを、前記ＰＤＮコネクションを経由して、前記外部ゲートウェイ装置から受信する。
【００２７】
（１５）  本発明の第５の態様は、少なくとも１つの情報端末装置、移動端末装置及び外部ゲートウェイ装置を有する移動体通信システムにおける移動端末装置の通信方法であって、前記移動端末装置は、前記外部ゲートウェイ装置と前記少なくとも１つの情報端末装置との間の通信に用いる単一のＰＤＮコネクションの確立を要求し、前記要求によって確立されるＰＤＮコネクションに割り当てられたアドレスブロックを、前記外部ゲートウェイ装置から取得し、ＩＰアドレスを前記情報端末装置に割り当て、前記ＰＤＮコネクションを経由した前記少なくとも１つの情報端末装置と前記外部ゲートウェイ装置との間のユーザデータをルータとして転送する。
【００２８】
（１６）  なお、本発明の第４又は第５の態様において、前記単一のＰＤＮコネクションの確立を要求する際に、前記ＰＤＮコネクションに割り当てるためのアドレスブロックのアドレスタイプを通知しても良い。
【００２９】
（１７）  また、本発明の第４又は第５の態様において、前記アドレスタイプは、ＩＰｖ４タイプ及びＩＰｖ６タイプとして指定されても良い。
【００３０】
（１８）  また、本発明の第４又は第５の態様において、取得される前記アドレスブロックは、ＩＰｖ６プレフィックスであっても良い。
【００３１】
（１９）  また、本発明の第４又は第５の態様において、前記移動端末装置は、ＤＨＣＰｖ６を用いて、前記外部ゲートウェイ装置に対して、前記ＰＤＮコネクションに割り当てられるＩＰｖ６プレフィックスを要求しても良い。
【００３２】
（２０）  また、本発明の第４又は第５の態様において、前記ＩＰｖ６プレフィックスは、上位６４ビット未満であっても良い。
【００３３】
（２１）  本発明の第６の態様は、移動端末装置及び外部ゲートウェイ装置を有する移動体通信システムにおける外部ゲートウェイ装置の通信方法であって、前記移動端末装置から、前記移動端末装置との間のデータの送受信に用いる単一のＰＤＮコネクションの確立の要求によって、前記ＰＤＮコネクションを確立し、前記ＰＤＮコネクションにアドレスブロックを割り当て、前記移動端末装置に前記アドレスブロックを通知し、前記アドレスブロックから少なくとも１つ生成されたＩＰアドレスを送信元として含むデータを、前記ＰＤＮコネクションを経由して、前記移動端末装置から受信し、前記ＩＰアドレスを送信先として含むデータを、前記ＰＤＮコネクションを経由して、前記移動端末装置に送信する。
【００３４】
（２２）  なお、本発明の第６の態様において、前記移動端末装置からの前記単一のＰＤＮコネクションの確立の要求によって、前記ＰＤＮコネクションに割り当てるためのアドレスブロックのアドレスタイプを取得しても良い。
【００３５】
（２３）  また、本発明の第６の態様において、前記アドレスタイプは、ＩＰｖ４タイプ及びＩＰｖ６タイプとして指定されても良い。
【００３６】
（２４）  また、本発明の第６の態様において、前記アドレスブロックは、ＩＰｖ６プレフィックスであっても良い。
【００３７】
（２５）  また、本発明の第６の態様において、前記移動端末装置から、ＤＨＣＰｖ６を用いて、前記ＰＤＮコネクションに割り当てるＩＰｖ６プレフィックスの要求を受信しても良い。
【００３８】
（２６）  また、本発明の第６の態様において、前記ＩＰｖ６プレフィックスは、上位６４ビット未満であっても良い。
【発明の効果】
【００３９】
この発明によれば、共通の移動端末装置に接続している複数の端末機器用のＰＤＮコネクションを集約でき、さらに移動端末装置用ＰＤＮコネクション確立と端末機器用ＰＤＮコネクション確立を一括して行えるため、処理負荷の増大および提供可能なサービスの制限を抑制できる。
【図面の簡単な説明】
【００４０】
【図１】本発明の第１の実施形態における移動体通信システムのネットワーク構成を示す概略ブロック図である。
【図２】同実施形態におけるＰＤＮ−ＧＷ装置２１の構成を示す概略ブロック図である。
【図３】同実施形態におけるＳ−ＧＷ装置２３の構成を示す概略ブロック図である。
【図４】同実施形態におけるＭＭＥ装置２２の構成を示す概略ブロック図である。
【図５】同実施形態におけるＨＳＳ装置２４の構成を示す概略ブロック図である。
【図６】同実施形態におけるＥＮＢ装置３１の構成を示す概略ブロック図である。
【図７】同実施形態における移動端末装置４０の構成を示す概略ブロック図である。
【図８】同実施形態におけるＴＥ装置４１ａの構成を示す概略ブロック図である。
【図９】同実施形態における移動端末装置４０のＥＰＳへのアタッチシーケンス例を示すシーケンス図である。
【図１０】同実施形態におけるＴＥ装置４１ａおよびＴＥ装置４１ｂの移動端末装置４０への接続シーケンス例を示すシーケンス図である。
【図１１】同実施形態におけるＰＤＮ−ＧＷ装置２１のパケット転送処理を示すフローチャートである。
【図１２】本発明の第２の実施形態における移動端末装置４０ａの構成を示す概略ブロック図である。
【図１３】同実施形態における移動端末装置４０ａのＥＰＳへのアタッチシーケンス例を示す図である。
【図１４】本発明の第３の実施形態におけるＰＤＮ−ＧＷ装置２１ｂの構成を示す概略ブロック図である。
【図１５】同実施形態における移動端末装置４０ｂの構成を示す概略ブロック図である。
【図１６】同実施形態における移動端末装置４０ｂの接続シーケンス例を示すシーケンス図である。
【図１７】本発明の第４の実施形態におけるＰＤＮ−ＧＷ装置２１ｃの構成を示す概略ブロック図である。
【図１８】同実施形態における移動端末装置４０ｃの構成を示す概略ブロック図である。
【図１９】同実施形態におけるＴＥ装置４１ａ、４１ｂが、外部ＰＤＮ５０との通信を行うための接続シーケンス例を示すシーケンス図である。
【図２０】本発明の第５の実施形態におけるＭＭＥ装置２２ｄの構成を示す概略ブロック図である。
【図２１】本発明の第６の実施形態における移動端末装置４０ｅの構成を示す概略ブロック図である。
【図２２】同実施形態におけるＴＥのＰＤＮコネクション確立のためのシーケンス例を示す図である。
【発明を実施するための形態】
【００４１】
［第１の実施の形態］
以下、図面を参照して、本発明の第１の実施形態について説明する。図１は、本発明の第１の実施形態における移動体通信システムのネットワーク構成を示す概略ブロック図である。本実施形態における移動体通信システム１０は、外部ＰＤＮ（Packet Data Network）５０と接続され、コアネットワーク２０と無線アクセスネットワーク３０と少なくとも１つの移動端末装置４０とを有する。なお、図１に示す例では、移動体通信システム１０は、移動端末装置４０に接続されたＴＥ装置４１ａ、４１ｂを有する。本実施形態では、移動体通信システムとして３ＧＰＰで標準化が行われているＥＰＳを例に用いて説明するが、それに限定せず同様のノード構成を持つ移動体通信システムにも、本発明は適用できる。
【００４２】
コアネットワーク２０は、ＰＤＮ−ＧＷ装置２１とＭＭＥ(Mobile Management Entity)装置２２とＳ−ＧＷ装置２３とＨＳＳ（Home Subscriber Server）装置２４とを具備する。Ｓ−ＧＷ装置２３は、ローカルモビリティアンカーとして移動端末装置４０が接続しているＥＮＢ（ｅＮｏｄｅＢ；基地局装置）３１からのパケットを送受信する。
ＰＤＮ−ＧＷ装置２１は、インターネットやＩＭＳ（IP Multimedia Subsystem）といった外部ＰＤＮ５０と接続され、コアネットワーク２０とそれらの外部ＰＤＮ５０を接続するゲートウェイとして機能する。また、ＰＤＮ−ＧＷ装置２１は、ＩＰアドレスの割り当て、パケットのＱｏＳに基づいた振り分けなどを行う。なお、ＰＤＮ−ＧＷ装置２１とＳ−ＧＷ装置２３とは、物理的に同一ノードで構成されていてもよい。
【００４３】
ＭＭＥ（Mobility Management Entity）装置２２は、シグナリングのみを行うエンティティであり、主たる機能として、無線アクセスネットワーク３０と通信する移動端末装置４０のモビリティをページングも含めて管理する。
ＨＳＳ装置２４は、ユーザ認証を行い、サブスクリプションデータを管理する。サブスクリプションデータには、加入者のサービス加入情報が含まれており、ＮＥＭＯ（Network Mobility；ネットワーク移動）サービスへの加入状況の有無もこれに含まれる。無線アクセスネットワーク３０は、基地局装置であるＥＮＢ装置３１を、少なくとも１つ具備する。
移動端末装置４０は、ＵＭＴＳにおけるＭＴとＵＥの機能を併せ持つ装置である。ＴＥ装置４１ａ、４２ｂは、ＵＭＴＳにおけるＴＥである。
【００４４】
Ｓ−ＧＷ装置２３とＰＤＮ−ＧＷ装置２１間のパケットトンネリングプロトコルには、ＧＴＰ（General Packet Radio Service Tunneling Protocol）もしくはＧＲＥ（Generic Routing Encapsulation）が使用される。ＧＴＰでは、２つのノード間でＴＥＩＤ（Tunnel Endpoint ID）の交換を行い、方向別に２つのＴＥＩＤが設定される。ＥＰＳベアラ毎に異なるＴＥＩＤが割り当てられるため、ＧＴＰエンドポイントノード（Ｓ−ＧＷ装置２３またはＰＤＮ−ＧＷ装置２１）はパケットヘッダに含まれたＴＥＩＤを参照することによって、移動端末装置４０とそのＥＰＳベアラを一意に識別することができる。ＧＲＥも、ＧＴＰと同様に２つのノード間で、ＧＴＰにおけるＴＥＩＤに相当するＧＲＥキーの交換を行い、方向別に２つのＧＲＥキー（ダウンリンクＧＲＥキー、アップリンクＧＲＥキー）が設定される。
【００４５】
図２は、本実施形態におけるＰＤＮ−ＧＷ装置２１の構成を示す概略ブロック図である。ＰＤＮ−ＧＷ装置２１は、アドレスブロック保持部２１１と、ＰＤＮコネクション設定部２１２と、Ｓ−ＧＷ接続Ｉ／Ｆ部２１３と、ＰＤＮコネクション保持部２１４と、ユーザデータ転送部２１５と、ＰＤＮ接続Ｉ／Ｆ部２１６とを具備する。
【００４６】
Ｓ−ＧＷ接続Ｉ／Ｆ部２１３は、Ｓ−ＧＷ装置２３との通信接続を行うための通信インタフェース部である。ＰＤＮ−ＧＷ装置２１の各部は、このＳ−ＧＷ接続Ｉ／Ｆ部２１３を介して、Ｓ−ＧＷ装置２３との通信を行なう。ＰＤＮ接続Ｉ／Ｆ部２１６は、外部ＰＤＮ５０との通信接続を行うための通信インタフェース部である。ＰＤＮ−ＧＷ装置２１の各部は、このＰＤＮ接続Ｉ／Ｆ部２１６を介して、外部ＰＤＮ５０との通信を行なう。
【００４７】
アドレスブロック保持部２１１は、後述するＰＤＮコネクション設定部２１２がＰＤＮコネクションに割り当て可能なアドレスブロックを示す情報を保持する。なお、アドレスブロックとは、複数のアドレスからなる集合であり、本実施形態では、ＩＰｖ４におけるネットワークアドレス（例えば、１９２．６３．２５．０〜１９２．６３．２５．２５５の１９２．６３．２５．０／２４など）、および、ＩＰｖ６におけるＩＰｖ６プレフィックス（例えば、１３９２：ｄ３８ｃ：：〜１３９２：ｄ３８ｃ：ｆｆｆｆ：ｆｆｆｆ：：の１３９２：ｄ３８ｃ：：／３２など）である。
【００４８】
ＰＤＮコネクション保持部２１４は、ＰＤＮコネクションに関する情報を、アドレスブロックを示す情報に対応付けて記憶する。ここで、ＰＤＮコネクションとは、外部ＰＤＮ５０と移動端末装置４０との間で無線アクセスネットワーク３０を介したユーザデータの転送に用いる論理パスである。なお、ＰＤＮコネクションには、移動端末装置４０のユーザデータを転送するためのＵＥ用ＰＤＮコネクション（移動端末用ＰＤＮコネクション）と、情報端末装置４１ａ、４１ｂのユーザデータを転送するためのＴＥ用ＰＤＮコネクション（情報端末用ＰＤＮコネクション）との２種類がある。
【００４９】
ＰＤＮコネクション設定部２１２は、移動端末装置４０からの要求を受けると、アドレスブロックをＴＥ用ＰＤＮコネクションまたはＵＥ用ＰＤＮコネクションに割り当てて、該アドレスブロックを示す情報と、該ＴＥ用ＰＤＮコネクションまたはＵＥ用ＰＤＮコネクションに関する情報とを対応付けてＰＤＮコネクション保持部２１４に記憶させ、該割り当てたアドレスブロックを示す情報を、移動端末装置４０に宛てて送信する。
【００５０】
ユーザデータ転送部２１５は、外部ＰＤＮ５０からユーザデータを受信すると、ＰＤＮコネクション保持部２１４を参照して、受信したユーザデータの宛先アドレスを含むアドレスブロックに対応付けられたＰＤＮコネクションの情報を取得し、該取得した情報のＰＤＮコネクションを用いて、受信したユーザデータを、移動端末装置４０に転送する。また、ユーザデータ転送部２１５は、Ｓ−ＧＷ装置２３を介して移動端末装置４０からのユーザデータを受信すると、外部ＰＤＮ５０に転送する。なお、本実施形態において、移動端末装置４０からのユーザデータには、移動端末装置４０のユーザデータと、移動端末装置４０に接続している情報端末装置４１ａ、４１ｂのユーザデータとを含む。
【００５１】
図３は、本実施形態におけるＳ−ＧＷ装置２３の構成を示す概略ブロック図である。Ｓ−ＧＷ装置２３は、ＰＤＮコネクション保持部２３１、ユーザデータ転送部２３２、ＥＮＯＤＥＢ接続Ｉ／Ｆ部２３３、ＰＤＮ−ＧＷ接続Ｉ／Ｆ部２３４、通信制御部２３５、ＭＭＥ接続Ｉ／Ｆ部２３６を具備する。
【００５２】
ＥＮＯＤＥＢ接続Ｉ／Ｆ部２３３は、ＥＮＢ装置３１との通信接続を行うための通信インタフェース部である。Ｓ−ＧＷ装置２３の各部は、このＥＮＯＤＥＢ接続Ｉ／Ｆ部２３３を介して、ＥＮＢ装置３１との通信を行なう。ＰＤＮ−ＧＷ接続Ｉ／Ｆ部２３４は、ＰＤＮ−ＧＷ装置２１との通信接続を行うための通信インタフェース部である。Ｓ−ＧＷ装置２３の各部は、このＰＤＮ−ＧＷ接続Ｉ／Ｆ部２３４を介して、ＰＤＮ−ＧＷ装置２１との通信を行なう。ＭＭＥ接続Ｉ／Ｆ部２３６は、ＭＭＥ装置２２との通信接続を行うための通信インタフェース部である。Ｓ−ＧＷ装置２３の各部は、このＭＭＥ接続Ｉ／Ｆ部２３６を介して、ＭＭＥ装置２２との通信を行なう。
【００５３】
ＰＤＮコネクション保持部２３１は、ＰＤＮコネクションに関する情報を記憶する。ユーザデータ転送部２３２は、ＥＮＢ装置３１を介して移動端末装置４０からのユーザデータを受信すると、ＰＤＮコネクション保持部２３１が記憶しているＰＤＮコネクションを用いて、ＰＤＮ−ＧＷ装置２１に転送する。また、ユーザデータ転送部２３２は、ＰＤＮ−ＧＷ装置２１を介して外部ＰＤＮ５０からのユーザデータを受信すると、ＰＤＮコネクション保持部２３１が記憶しているＰＤＮコネクションを用いて、ＥＮＢ装置３１に転送する。通信制御部２３５は、Ｓ−ＧＷ装置２３の通信を制御する。
【００５４】
図４は、本実施形態におけるＭＭＥ装置２２の構成を示す概略ブロック図である。ＭＭＥ装置２２は、ＨＳＳ接続Ｉ／Ｆ部２２１、通信制御部２２２、ＥＮＯＤＥＢ接続Ｉ／Ｆ部２２３、位置情報保持部２２４、加入者情報保持部２２５、Ｓ−ＧＷ接続Ｉ／Ｆ部２２６を具備する。ＨＳＳ接続Ｉ／Ｆ部２２１は、ＨＳＳ装置２４との通信接続を行うための通信インタフェース部である。ＭＭＥ装置２２の各部は、このＨＳＳ接続Ｉ／Ｆ部２２１を介して、ＨＳＳ装置２４との通信を行なう。
【００５５】
ＥＮＯＤＥＢ接続Ｉ／Ｆ部２２３は、ＥＮＢ装置３１との通信接続を行うための通信インタフェース部である。ＭＭＥ装置２２の各部は、このＥＮＯＤＥＢ接続Ｉ／Ｆ部２２３を介して、ＥＮＢ装置３１との通信を行なう。Ｓ−ＧＷ接続Ｉ／Ｆ部２２６は、Ｓ−ＧＷ装置２３との通信接続を行うための通信インタフェース部である。ＭＭＥ装置２２の各部は、このＳ−ＧＷ接続Ｉ／Ｆ部２２６を介して、Ｓ−ＧＷ装置２３との通信を行なう。
【００５６】
位置情報保持部２２４は、各移動端末装置４０が、どのＥＮＢ装置３１と通信可能な状態にあるかを示す位置情報を保持する。加入者情報保持部２２５（端末情報記憶部）は、各移動端末装置４０を識別する情報に対応付けて、該移動端末装置４０の加入者が、どのサービスに加入しているかを示すサービス加入情報を含むサブスクリプションデータを保持する。本実施形態では、このサービスに、ＮＥＭＯ（Network Mobility；ネットワーク移動）サービスを含む。また、本実施形態では、このサブスクリプションデータに、移動端末装置４０がルータ機能を備えているか否かを示すフラグを含む。なお、これらの位置情報およびサブスクリプションデータは、ＨＳＳ装置２４から当該ＭＭＥ装置２２にて必要なデータを取得したものである。
【００５７】
通信制御部２２２は、ＭＭＥ装置２２の通信を制御する。また、通信制御部２２２は、設定可否判定部２２７を具備する。設定可否判定部２２７は、移動端末装置４０からのアタッチ要求（ＵＥ用ＰＤＮコネクション設定の要求）を、ＥＮＢ装置３１を介して受信すると、該要求中のルータ機能を備えているか否かを示すフラグと、該要求元の移動端末装置４０のサブスクリプションデータに含まれているＮＥＭＯサービスに加入しているか否かを示す情報とに基づき、該設定を要求されたＵＥ用ＰＤＮコネクションの設定可否を判定する。判定の詳細については、後述する。また、このルータ機能を備えているか否かを示すフラグの値を、通信制御部２２２は、加入者情報保持部２２５に記憶させる。
【００５８】
また、設定可否判定部２２７は、移動端末装置４０からのＴＥ用ＰＤＮコネクション設定の要求を、ＥＮＢ装置３１を介して受信すると、該設定を要求されたＴＥ用ＰＤＮコネクションの設定可否を、加入者情報保持部２２５が記憶する移動端末装置４０がルータ機能を備えているか否かを示すフラグに基づき判定する。なお、フラグの値が、ルータ機能を備えていることを示すときは設定可と判定し、備えていないこと示すときは設定不可と判定する。
【００５９】
図５は、本実施形態におけるＨＳＳ装置２４の構成を示す概略ブロック図である。ＨＳＳ装置２４は、ＭＭＥ接続Ｉ／Ｆ部２４１、制御部２４２、位置情報保持部２４３、加入者情報保持部２４４を具備する。ＭＭＥ接続Ｉ／Ｆ部２４１は、ＭＭＥ装置２２との通信接続を行うための通信インタフェース部である。ＨＳＳ装置２４の各部は、このＭＭＥ接続Ｉ／Ｆ部２４１を介して、ＭＭＥ装置２２との通信を行なう。
【００６０】
位置情報保持部２４３は、移動体通信システム１０に属する全ての移動端末装置４０の位置情報を保持する。加入者情報保持部２４４は、移動体通信システムに属する全ての移動端末装置４０についてのサブスクリプションデータを保持する。制御部２４２は、ＨＳＳ装置２４全体を制御する。また、制御部２４２は、ＭＭＥ装置２２からの要求に応じて、位置情報保持部２４３が保持する位置情報および加入者情報保持部２４４が保持するサブスクリプションデータの提供および更新を行う。
【００６１】
図６は、本実施形態におけるＥＮＢ装置３１の構成を示す概略ブロック図である。ＥＮＢ装置３１は、無線通信部３１１、通信制御部３１２、Ｓ−ＧＷ接続Ｉ／Ｆ部３１３、ＭＭＥ接続Ｉ／Ｆ部３１４を具備する。無線通信部３１１は、移動端末装置４０との通信接続を行うための通信インタフェース部である。ＥＮＢ装置３１の各部は、この無線通信部３１１を介して、移動端末装置４０との無線通信を行なう。
【００６２】
通信制御部３１２は、ＥＮＢ装置３１における通信を制御する。Ｓ−ＧＷ接続Ｉ／Ｆ部３１３は、Ｓ−ＧＷ装置２３との通信接続を行うための通信インタフェース部である。ＥＮＢ装置３１の各部は、このＳ−ＧＷ接続Ｉ／Ｆ部３１３を介して、Ｓ−ＧＷ装置２３との通信を行なう。ＭＭＥ接続Ｉ／Ｆ部３１４は、ＭＭＥ装置２２との通信接続を行うための通信インタフェース部である。ＥＮＢ装置３１の各部は、このＭＭＥ接続Ｉ／Ｆ部３１４を介して、ＭＭＥ装置２２との通信を行なう。
【００６３】
図７は、移動端末装置４０の構成を示す概略ブロック図である。移動端末装置４０は、コネクション要求部４０１、アドレスブロック記憶部４０４、ルータ機能部４０５、アドレス割当部４０６、無線通信部４０７、ＴＥ接続無線通信部４０８を具備する。コネクション要求部４０１は、アタッチ要求部４０２とＴＥ用コネクション要求部４０３とを具備する。無線通信部４０７は、ＥＮＢ装置３１との通信接続を行うための通信インタフェース部である。移動端末装置４０の各部は、この無線通信部４０７を介して、ＥＮＢ装置３１との無線通信を行なう。ＴＥ接続無線通信部４０８は、ＴＥ装置４１ａ、４１ｂとの通信接続を行うための通信インタフェース部である。移動端末装置４０の各部は、このＴＥ接続無線通信部４０８を介して、ＴＥ装置４１ａ、４１ｂとの通信を行なう。
【００６４】
アタッチ要求部４０２は、アタッチ要求（ＵＥ用ＰＤＮコネクション設定）を、ＥＮＢ装置３１を介してコアネットワーク２０に要求し、該要求により設定されたＵＥ用ＰＤＮコネクションに割り当てられたＩＰアドレスを示す情報（ＩＰｖ４アドレスまたはＩＰｖ６プレフィックス）を、ＥＮＢ装置３１を介してコアネットワーク２０から受信する。この要求には、移動端末装置４０がルータ機能（ルータ機能部４０５）を具備することを示すフラグを含む。以降、移動端末装置とコアネットワークとの通信がＥＮＢ装置３１を介して行われていることの記載は省略する。
【００６５】
ＴＥ用コネクション要求部４０３は、ＴＥ用ＰＤＮコネクションの設定を、ＥＮＢ装置３１を介してコアネットワーク２０に要求し、該要求により設定されたＴＥ用ＰＤＮコネクションに割り当てられたアドレスブロックを示す情報（ＩＰｖ４ネットワークアドレスまたはＩＰｖ６プレフィックス）を、ＥＮＢ装置３１を介してコアネットワーク２０から受信する。
【００６６】
アドレスブロック記憶部４０４は、コネクション要求部４０１のアタッチ要求部４０２およびＴＥ用コネクション要求部４０３が受信したアドレスブロックを示す情報を記憶する。アドレス割当部４０６は、ＴＥ用コネクション要求部４０３が受信した情報が示すアドレスブロックに属するアドレスを、ＴＥ装置４１ａ、４１ｂに割り当てる。
ルータ機能部４０５は、ＴＥ装置４１ａ、４１ｂに割り当てたアドレスに宛てたユーザデータを受信すると、該アドレスを割り当てたＴＥ装置に、受信したユーザデータを転送する。
【００６７】
図８は、本実施形態におけるＴＥ装置４１ａの構成を示す概略ブロック図である。ＴＥ装置４１ａ、４２ｂは、同一の構成を有するので、代表してＴＥ装置４１ａの構成を説明する。ＴＥ装置４１ａは、制御部４１１とＭＴ接続無線通信部４１２とを具備する。制御部４１１は、ＴＥ装置４１ａの全体を制御する。ＭＴ接続無線通信部４１２は、ＭＴ機能（無線アクセスネットワーク３０に接続するためのモデム機能）を備える移動端末装置４０との通信接続を行うための通信インタフェース部である。制御部４１１は、このＭＴ接続無線通信部４１２を介して、移動端末装置４０との通信を行なう。
【００６８】
移動端末装置４０は、まずＥＰＳへのアタッチを行うことで、ＵＥとしての自身のＰＤＮコネクションおよびデフォルトＥＰＳベアラの確立を行う。図９は、移動端末装置４０のＥＰＳへのアタッチシーケンス例を示すシーケンス図である。まず、移動端末装置４０のアタッチ要求部４０２はアタッチ要求をＥＮＢ装置３１に送信する（Ｓ９０１）。このアタッチ要求内には加入者の識別情報（ＩＭＳＩ：International Mobile Subscriber Identifyなど）と、ＵＥの保有機能を示すユーザ機器保有機能情報（UE capability）が含まれ、ユーザ機器保有機能情報にはＭＲ（Mobile Router）機能の有無を示すＭＲ機能保有（MR Capability）フラグが含まれる。移動端末装置４０がＭＲ(Mobile Router)として機能し、他の複数のＴＥのＭＴとして機能できる場合には、移動端末装置４０は、このフラグを有効にしたアタッチ要求を送信する。
【００６９】
ＥＮＢ装置３１は、前記アタッチ要求を受信し、ＭＭＥ装置２２に送信する（Ｓ９０２）。ＭＭＥ装置２２は、アタッチ要求に含まれている加入者識別情報を取り出し、移動端末装置４０とＨＳＳ装置２４との間でユーザ認証を行う（Ｓ９０３−１からＳ９０３−３）。ユーザ認証が成功した場合には、加入者のサービス加入状況を取得するために、ＭＭＥ装置２２は、シーケンスＳ９０２のアタッチ要求に含まれていた加入者識別情報を含んだ位置情報更新メッセージをＨＳＳ装置２４に送信する（Ｓ９０４）。位置情報更新メッセージを受信したＨＳＳ装置２４は、指定された加入者の契約内容を示すサブスクリプションデータをＭＭＥ装置２２に送信する（Ｓ９０５）。
【００７０】
ＭＭＥ装置２２は、取得したサブスクリプションデータから、加入者がＮＥＭＯサービスを契約しているかを確認し、ＮＥＭＯサービスが未加入であるにもかかわらず、ＭＲ機能を要求している場合にはアタッチ拒否をＥＮＢ装置３１経由で移動端末装置４０に送信し、アタッチシーケンスを中断する（アタッチ失敗）。さらに必要であれば、移動端末装置４０はユーザに対してＮＥＭＯサービスが未加入である旨を通知してもよい。
【００７１】
また、ＮＥＭＯサービスが未加入であるにもかかわらず、ＭＲ機能を要求している場合に、ＭＭＥ装置２２はアタッチ拒否を送信してアタッチシーケンスを中断する代わりに、以下に記載するステップＳ９０６以降の移動端末用ＰＤＮコネクションの確立処理を継続して行い、少なくとも移動端末装置４０が行う通信については、ＮＥＭＯサービスの加入の有無に関わらず、可能となるようにしてもよい。ただし、その場合には、ＭＭＥ装置２２は、後述する図１０のステップＳ１００３のＰＤＮコネクティビティ要求を受けて、ＴＥ用ＰＤＮコネクション確立手続を開始する段階において、前述のステップＳ９０５で取得したサブスクリプションデータに基づき、あるいは再度ＨＳＳ装置２４から取得したサブスクリプションデータに基づき、加入者がＮＥＭＯサービスを契約しているかを判定し、ＮＥＭＯサービスが未加入であると判定したときは、ＰＤＮコネクティビティ拒否を移動端末装置４０に返信し、ステップＳ１００４のベアラ設定要求を送信せず、ＴＥ用ＰＤＮコネクションの確立は行わない。
【００７２】
シーケンスＳ９０５にて取得したサブスクリプションデータを確認した結果、加入者がＮＥＭＯサービスを契約しているときは、ＭＭＥ装置２２は、サブスクリプションデータＡＣＫ（Insert Subscriber Data Ack）をＨＳＳ装置２４に送信する（Ｓ９０６）。ＨＳＳ装置２４は、シーケンスS９０４の位置情報更新メッセージに応じた移動端末装置４０の位置情報更新を完了し、位置情報更新ＡＣＫ（Update Location Ack）をＭＭＥ装置２２に送信する（Ｓ９０７）。
【００７３】
次に、ＭＭＥ装置２２は、Ｓ−ＧＷ装置２３とＰＤＮ−ＧＷ装置２１間のデフォルトＥＰＳベアラ確立のため、ベアラ設定要求をＳ−ＧＷ装置２３に送信する（Ｓ９０８）。ベアラ設定要求には、加入者の識別情報とＰＤＮ−ＧＷ装置２１のＩＰアドレスとＡＰＮとＰＤＮコネクションＩＤ１とＰＤＮタイプ１とＰＤＮアドレス１とＥＰＳベアラＩＤ１が含まれる。
【００７４】
ＡＰＮ（Access Point Name；アクセスポイントネーム）は接続する外部ＰＤＮ５０を一意に決定するもので、ＰＤＮ−ＧＷ装置２１のＩＰアドレスとＡＰＮは、ＨＳＳ装置２４から取得したサブスクリプションデータに基づいて決定されるが、ＡＰＮについては、Ｓ９０１で送信するアタッチ要求に含めることで移動端末装置４０が明示しても良い。ＰＤＮコネクションＩＤは、同一ＰＤＮかつ同一ＰＤＮ−ＧＷ装置２１に向けて確立される複数ＰＤＮコネクションを少なくともＰＤＮ−ＧＷ装置２１内で区別する識別子である。なお、ＰＤＮコネクションＩＤは、同一ＰＤＮかつ同一ＰＤＮ−ＧＷ装置２１に向けて移動端末装置４０から確立される複数のＰＤＮコネクションをＰＤＮ−ＧＷ装置２１内で識別するものであれば良く、独立した情報要素ではなくて、たとえば１つのＡＰＮの末尾に新たに識別子を追加した値とすることで、ＰＤＮ−ＧＷ装置２１内で移動端末装置４０との間で確立される複数のＰＤＮコネクションについて、それぞれを個別に識別するものであってもよい。
【００７５】
ＰＤＮアドレスは、確立するＰＤＮコネクションに割り当てるＩＰｖ４アドレスもしくはＩＰｖ６プレフィックスもしくはその両方を示す。アドレス割り当てをＰＤＮ−ＧＷ装置２１に委ねる場合にはＮＵＬＬアドレス（アドレス未指定）を格納するが、前記サブスクリプションデータ内に指定されている場合には、そのアドレスを用いてもよい。ＰＤＮタイプは、ＰＤＮアドレスのＩＰアドレスタイプを示すもので、ＩＰｖ４タイプもしくはＩＰｖ６タイプもしくはその両方を指定することができる。ＥＰＳベアラＩＤは、１つの移動端末装置４０が確立する複数のＥＰＳベアラを区別する識別子である。
【００７６】
Ｓ−ＧＷ装置２３はベアラ設定要求を受信し、ＰＤＮ−ＧＷ装置２１との間でデフォルトＥＰＳベアラの確立手続きを開始する。ＥＰＳベアラを実現するプロトコルとしてＧＴＰが使用される場合には、Ｓ−ＧＷ装置２３はＰＤＮ−ＧＷ装置２１にベアラ設定要求を送信する（Ｓ９０９）。ベアラ設定要求には、加入者の識別情報とＳ−ＧＷ装置２３のＩＰアドレスとＡＰＮとＰＤＮコネクションＩＤ１とＳ−ＧＷ用ＴＥＩＤ１とＰＤＮタイプ１とＰＤＮアドレス１とＥＰＳベアラＩＤ１が含まれる。
【００７７】
ＥＰＳベアラを実現するプロトコルとしてＧＲＥが使用される場合には、Ｓ−ＧＷ装置２３は、ＰＤＮ−ＧＷ装置２１にプロキシバインディング更新（Proxy Binding Update）のメッセージを送信する（Ｓ９０９）。プロキシバインディング更新には、加入者の識別情報から生成される移動体ネットワークアクセス識別子（ＭＮ＿ＮＡＩ；Mobile Node Network Access Identifier）とＡＰＮとＰＤＮコネクションＩＤ１とダウンリンクＧＲＥキー１とＰＤＮタイプ１とＰＤＮアドレス１が含まれる。
【００７８】
ＰＤＮ−ＧＷ装置２１は、シーケンスＳ９０９のベアラ設定要求もしくはプロキシバインディング更新を受信すると、ＰＤＮコネクション１を設定する（Ｓ９１０）。ＰＤＮコネクション１の設定では、ＰＤＮ−ＧＷ装置２１は、まず、シーケンスＳ９０９で受けたＰＤＮアドレス１に特定ＩＰアドレスが指定されていない場合には、ＰＤＮ−ＧＷ装置２１が管理するアドレスプールからＰＤＮタイプ１に従ってＩＰｖ４アドレス１もしくはＩＰｖ６プレフィックス１もしくはその両方をＰＤＮアドレス１に割り当てる。そして、ＰＤＮコネクション１に、このＰＤＮアドレス１を割り当てる。さらにＰＤＮコネクション１に関連付けられたデフォルトＥＰＳベアラ１を確立し、外部ＰＤＮ５０から、このＰＤＮアドレス１宛に転送されたユーザパケットを上記確立したＥＰＳベアラ１に結び付ける。
【００７９】
そして、ＰＤＮ−ＧＷ装置２１は、ベアラ設定応答もしくはプロキシバインディング応答（Proxy Binding Acknowledgement）をＳ−ＧＷ装置２３に返信する（Ｓ９１１）。このシーケンスＳ９１１には、ＧＴＰを用いている場合にはベアラ設定応答が用いられ、ベアラ設定応答には、設定したＰＤＮコネクション１のＰＤＮ−ＧＷ用ＴＥＩＤ１とＰＤＮタイプ１とＰＤＮアドレス１とＥＰＳベアラＩＤ１が含まれる。ＧＲＥを用いている場合にはプロキシバインディング応答のメッセージが用いられ、このメッセージ内には、設定したＰＤＮコネクションの移動体ネットワークアクセス識別子とＰＤＮコネクションＩＤ１とアップリンクＧＲＥキー１とＰＤＮタイプ１とＰＤＮアドレス１が含まれる。さらに、ＰＤＮ−ＧＷ装置２１は、ＥＰＳベアラ１を用いて、外部ＰＤＮ５０から、シーケンスＳ９１０で設定したＰＤＮコネクション１に割当てられたＰＤＮアドレス１宛に転送されたユーザパケットのＳ−ＧＷ装置２３までの転送を開始する（Ｓ９１２）。
【００８０】
Ｓ−ＧＷ装置２３は、シーケンスＳ９１１のプロキシバインディング応答もしくはベアラ設定応答を受けると、これらのメッセージのＰＤＮアドレス１と加入者の識別情報とＭＭＥ装置２２とを関連付けて管理テーブル（ＰＤＮコネクション保持部２３１）に記録し、さらにベアラ設定応答をＭＭＥ装置２２に送信する（Ｓ９１３）。ベアラ設定応答には、設定したＰＤＮコネクション１のＳ−ＧＷ装置２３のＩＰアドレスとＳ−ＧＷ用ＴＥＩＤ１とＰＤＮタイプ１とＰＤＮアドレス１とＥＰＳベアラＩＤ１が含まれる。また、Ｓ−ＧＷ装置２３は、ＰＤＮ−ＧＷ装置２１から転送されてきたユーザパケットのバッファリングを開始する。
【００８１】
ＭＭＥ装置２２は、ベアラ設定応答を受信し、ＥＮＢ装置３１にアタッチ許可を送信する（Ｓ９１４）。このアタッチ許可には、ベアラ設定応答で受けたＳ−ＧＷ装置２３のＩＰアドレスとＡＰＮとＰＤＮコネクションＩＤ１とＳ−ＧＷ用ＴＥＩＤ１とＰＤＮタイプ１とＰＤＮアドレス１とＥＰＳベアラＩＤ１が含まれる。ＥＮＢ装置３１は、シーケンスＳ９１４のアタッチ許可で受けたＡＰＮとＰＤＮコネクションＩＤ１とＰＤＮタイプ１とＰＤＮアドレス１とＥＰＳベアラＩＤ１を含んだアタッチ許可を移動端末装置４０に送信する（Ｓ９１５）。
【００８２】
移動端末装置４０は、アタッチ許可を受信すると、受信したアタッチ許可に含まれているＰＤＮタイプ１とＰＤＮアドレス１を取得し、さらに受信したアタッチ許可に含まれているＥＰＳベアラＩＤ１を含んだアタッチ完了をＥＮＢ装置３１に送信する（Ｓ９１６）。さらに移動端末装置４０はユーザデータの送受信可能状態に遷移する。ＥＮＢ装置３１はアタッチ完了を受信すると、受信したアタッチ完了に含まれているＥＰＳベアラＩＤ１と、ＥＮＢ装置３１のＩＰアドレスおよびＥＮＢ用ＴＥＩＤ１とを含んだアタッチ完了を、ＭＭＥ装置２２に送信する（Ｓ９１７）。
【００８３】
以降、移動端末装置４０が、シーケンスＳ９１５のアタッチ許可から取得したＰＤＮアドレスを送信元アドレスとして用いて、外部ＰＤＮ５０宛にユーザデータを送信すると、確立したＰＤＮコネクション１内のＥＰＳベアラ１でデータが転送され、当該ユーザデータはＰＤＮ−ＧＷ装置２１まで転送された後、外部ＰＤＮ５０に向けて送出される（Ｓ９１８）。
【００８４】
また、ＭＭＥ装置２２は、シーケンスＳ９１７のアタッチ完了を受信すると、このアタッチ完了に含まれているＥＮＢ装置３１のＩＰアドレスとＥＮＢ用ＴＥＩＤ１とＥＰＳベアラＩＤ１とを含んだベアラ更新要求を、Ｓ−ＧＷ装置２３へ送信する（Ｓ９１９）。Ｓ−ＧＷ装置２３は、このベアラ更新要求を受信すると、受信したベアラ更新要求に含まれるＥＮＢ装置３１のＩＰアドレスすなわち移動端末装置４０が接続しているＥＮＢ装置３１のＩＰアドレスを取得し、受信したベアラ更新要求に含まれるＥＰＳベアラＩＤ１を含んだベアラ更新応答を、ＭＭＥ装置２２に返信する（Ｓ９２０）。ここで、Ｓ−ＧＷ装置２３は、移動端末装置４０が接続しているＥＮＢ装置３１のＩＰアドレスを取得したので、ＰＤＮ−ＧＷ装置２１から転送されてきた移動端末装置４０向けのユーザパケットをバッファリングされた分も含めＥＮＢ装置３１に転送開始し、ＥＮＢ装置３１はそのユーザパケットを移動端末装置４０に送信する（Ｓ９２１）。以上で、移動端末装置４０のＥＰＳへのアタッチが完了する。
【００８５】
次に、ＴＥ装置４１ａおよびＴＥ装置４１ｂが、外部ＰＤＮ５０との通信を行うために、移動端末装置４０に接続する。図１０は、ＴＥ装置４１ａおよびＴＥ装置４１ｂの移動端末装置４０への接続シーケンス例を示すシーケンス図である。ＴＥ装置４１ａは、無線通信Ｉ／Ｆ部４１２をアクティブ状態にし、ＩＰアドレス割り当てプロトコルを起動する。ＩＰアドレス割り当てプロトコルは、IPv6 Stateless auto configuration（ＩＥＴＦ  ＲＦＣ４８６２）であってもＤＨＣＰｖ４（ＩＥＴＦ  ＲＦＣ２４６２）やＤＨＣＰｖ６（ＩＥＴＦ  ＲＦＣ３３１５）であっても良く、またこれらに限定されない。ここでは、IPv6 Stateless Auto Configurationが使用された場合を例に説明する。
【００８６】
ＴＥ装置４１ａはデフォルトルータを探索するため、ＲＳ（Router Solicitation；ルータ探索）を送信する（Ｓ１００１）。移動端末装置４０はＴＥ装置４１ａからＲＳを受信し、移動端末装置４０自身がＥＰＳ内でアイドル（ＩＤＬＥ）状態に遷移しているのであれば、通信データの送受信を行うためにアクティブ状態に遷移する（Ｓ１００２）（３ＧＰＰ仕様ＴＳ２３．４０１参照）。そして、移動端末装置４０のＴＥ用コネクション要求部４０３は、ＴＥ装置４１ａ用に新たにＰＤＮコネクション２（ＴＥ用ＰＤＮコネクション）を確立するためにＰＤＮコネクティビティ要求を、ＥＮＢ装置３１を介してＭＭＥ装置２２に送信する（Ｓ１００３）。
【００８７】
ＰＤＮコネクティビティ要求には、ＡＰＮとＭＮＰ（Mobile Network Prefix）タイプ（アドレスブロック種別）が含まれる。ＡＰＮは、図９のアタッチシーケンス中にＥＮＢ装置３１から受信したアタッチ許可で取得したものを用いるが、Ｓ９０１で送信したアタッチ要求の場合と同様に移動端末装置４０が明示してもよい。ＭＮＰタイプは、確立するＰＤＮコネクションに割り当てるネットワークアドレス（アドレスブロック）のアドレスタイプを指定するためのものであり、ＩＰｖ４（Internet Protocol Version 4；アイピーブイヨン）のネットワークアドレスにより指定されるアドレスブロックであるＩＰｖ４タイプもしくはＩＰｖ６（Internet Protocol Version 6；アイピーブイロク）プレフィックスにより指定されるアドレスブロックであるＩＰｖ６タイプもしくはその両方が指定される。ただし、このＭＮＰタイプは、図９のアタッチシーケンスで使用されるＰＤＮタイプを拡張して新しいアドレスタイプを定義したものでもよいし、ＰＤＮタイプとの組み合わせで指定しても良い。
【００８８】
ＭＭＥ装置２２の通信制御部２２２は、ＰＤＮコネクティビティ要求を受信し、新たにＰＤＮコネクション２を確立するため、ベアラ設定要求をＳ−ＧＷ装置２３に送信する（Ｓ１００４）。ただし、図９のシーケンスＳ９０６にてＭＲ機能を無効にしたまま、アタッチ処理を継続していた場合には、ＰＤＮコネクティビティ拒否を移動端末装置４０に返信し、接続シーケンスを終了する。
【００８９】
ベアラ設定要求には、シーケンスＳ１００３のＰＤＮコネクティビティ要求に含まれているＡＰＮとＭＮＰタイプ１に加えて、加入者の識別情報とＰＤＮ−ＧＷ装置２１のＩＰアドレスとＰＤＮコネクションＩＤ２とＭＮＰ１とＥＰＳベアラＩＤ２が含まれる。ＭＮＰ（Mobile Network Prefix）はＴＥ装置４１ａ用に確立するＰＤＮコネクションに割り当てるＩＰｖ４サブネットアドレスもしくはＩＰｖ６プレフィックスもしくはその両方を示すものである。ただし、このＭＮＰはＰＤＮアドレスと同じ情報要素を流用してもよい。
【００９０】
通信制御部２２２は、このベアラ設定要求のＭＮＰに割り当てるＩＰｖ４サブネットアドレスもしくはＩＰｖ６プレフィックスについて、その割り当てるアドレスブロックをＰＤＮ−ＧＷ装置２１に委ねる場合にはＮＵＬＬアドレス（アドレス未指定）を格納する。しかし、図９のアタッチ処理中にＨＳＳ装置２４から取得し、加入者情報保持部２２５に記憶したサブスクリプションデータ内に要求元の移動端末装置４０を識別する情報に対応付けて、ＴＥ用ＰＤＮコネクションに割り当てたアドレスブロックを示す情報であるＭＮＰが指定されている場合には、その値を、このベアラ設定要求のＭＮＰに格納する（それぞれＩＰｖ４サブネットアドレス２、ＩＰｖ６プレフィックス２とする）。
【００９１】
Ｓ−ＧＷ装置２３は、シーケンスＳ１００４のベアラ設定要求を受信し、ＰＤＮ−ＧＷ装置２１との間でＴＥ装置４１ａ用のデフォルトＥＰＳベアラの確立手続きを開始する。ＥＰＳベアラを実現するプロトコルとしてＧＴＰが使用される場合には、Ｓ−ＧＷ装置２３はＰＤＮ−ＧＷ装置２１にベアラ設定要求を送信する（Ｓ１００５）。このベアラ設定要求には、加入者の識別情報とＳ−ＧＷ装置２３のＩＰアドレスとＡＰＮとＰＤＮコネクションＩＤ２とＳ−ＧＷ用ＴＥＩＤ２とＭＮＰタイプ１とＭＮＰ１とＥＰＳベアラＩＤ２が含まれる。図９のシーケンスＳ９０９のベアラ設定要求とは、ＰＤＮタイプ１、ＰＤＮアドレス１に替えて、ＭＮＰタイプ１、ＭＮＰ１を含む点が異なる。
【００９２】
また、ＥＰＳベアラを実現するプロトコルとしてＧＲＥが使用された場合には、Ｓ−ＧＷ装置２３はＰＤＮ−ＧＷ装置２１にプロキシバインディング更新（Proxy Binding Update）のメッセージを送信する。プロキシバインディング更新のメッセージには、加入者の識別情報から生成された移動体ネットワークアクセス識別子とＡＰＮとＰＤＮコネクションＩＤ２とダウンリンクＧＲＥキー２とＭＮＰタイプ１とＭＮＰ１が含まれる。このプロキシバインディング更新も、図９のシーケンスＳ９０９のプロキシバインディング更新とは、ＰＤＮタイプ１、ＰＤＮアドレス１に替えて、ＭＮＰタイプ１、ＭＮＰ１を含む点が異なる。
【００９３】
ＰＤＮ−ＧＷ装置２１のＰＤＮコネクション設定部２１２は、シーケンスＳ１００５のベアラ設定要求もしくはプロキシバインディング更新を受信し、ＰＤＮコネクション２の設定を開始する（Ｓ１００６）。まず、ＰＤＮコネクション設定部２１２は、ＭＮＰ１に特定ＩＰｖ４サブネットアドレスおよび特定ＩＰｖ６プレフィックスが指定されていない場合には、ＰＤＮ−ＧＷ装置２１のアドレスブロック保持部２１１が保持するアドレスプールから、ベアラ設定要求もしくはプロキシバインディング更新中のＭＮＰタイプ１にて指定された種類のアドレスブロック、すなわちＩＰｖ４サブネットアドレス２もしくはＩＰｖ６プレフィックス２もしくはその両方をＭＮＰ１に割り当てる。そして、ＰＤＮコネクション２にＭＮＰ１を割り当てる。さらにＰＤＮコネクション２に関連付けられたデフォルトＥＰＳベアラ２を確立する。このとき、ＰＤＮコネクション設定部２１２は、ＭＮＰ１に割り当てたアドレスブロックを示す情報、ＰＤＮコネクション２に関する情報を、ＰＤＮコネクション保持部２１４に記憶させる。
これにより、ユーザデータ転送部２１５は、外部ＰＤＮ５０からＭＮＰ１宛に転送されたユーザデータを上記確立したＥＰＳベアラ２に結び付ける。なお、ここで、ＭＮＰ１宛とは、ＭＮＰ１のアドレスブロックに属するアドレスに宛てられたユーザデータであることを示す。
【００９４】
そして、ＰＤＮ−ＧＷ装置２１はベアラ設定応答もしくプロキシバインディング応答（Proxy Binding Acknowledgement）をＳ−ＧＷ装置２３に返信する（Ｓ１００７）。ＧＴＰを用いている場合には、このシーケンスＳ１００７には、ベアラ設定応答が用いられ、ベアラ設定応答にはＰＤＮ−ＧＷ用ＴＥＩＤ２とＭＮＰタイプ１とＭＮＰ１とＥＰＳベアラＩＤ２が含まれる。ＧＲＥを用いている場合には、プロキシバインディング応答が用いられ、メッセージ内には、移動体ネットワークアクセス識別子とＰＤＮコネクションＩＤ２とアップリンクＧＲＥキー２とＭＮＰタイプ１とＭＮＰ１が含まれる。さらに、ＥＰＳベアラ２を用いて、外部ＰＤＮ５０からＭＮＰ１宛に転送されたユーザパケットをＳ−ＧＷ装置２３まで転送開始する（Ｓ１００８）。
【００９５】
ここで、シーケンスＳ１００８にＰＤＮ−ＧＷ装置２１が開始するパケット転送処理について説明する。図１１は、ＰＤＮ−ＧＷ装置２１のパケット転送処理を示すフローチャートである。まず、ＰＤＮ−ＧＷ装置２１は、外部ＰＤＮ５０からパケットを受信すると（Ｓａ１）、パケットの宛先を確認する（Ｓａ２）。ＰＤＮ−ＧＷ装置２１は、パケットの宛先がＭＮＰ１（図１０のシーケンスＳ１００４参照）に該当しているか否かを判定し（Ｓａ３）、該当していると判定したときは（Ｓａ３−ＹＥＳ）、ＭＮＰ１に対応するＰＤＮコネクション２のデフォルトＥＰＳベアラ（外部ＰＤＮ５０とＴＥ装置４１ａとの間のベアラ）を選択した後（Ｓａ４）、ステップＳａ５に遷移する。
【００９６】
一方、ステップＳａ３において、一致していないと判定したときは（Ｓａ３−ＮＯ）、ステップＳａ６に遷移して、ＰＤＮ−ＧＷ装置２１は、パケットの宛先がＰＤＮアドレス１（図９のシーケンスＳ９０８参照）と一致しているか否かを判定し（Ｓａ６）、一致していると判定したときは（Ｓａ４−ＹＥＳ）、ＰＤＮアドレス１に対応するＰＤＮコネクション１のデフォルトＥＰＳベアラ（外部ＰＤＮ５０と移動端末装置４０との間のベアラ）を選択した後（Ｓａ７）、ステップＳａ５に遷移する。
【００９７】
ステップＳａ５では、その前のステップ（ステップＳａ４またはＳａ７）にて選択したＥＰＳベアラを用いて、ステップＳａ１にて受信したパケットをＳ−ＧＷ装置２３に転送し、処理を終了する。また、ステップＳａ６にて、一致しないと判定したときは（Ｓａ６−ＮＯ）、ＰＤＮ−ＧＷ装置２１は、ステップＳａ１にて受信したパケットは、現在管理している移動端末装置４０またはＴＥ装置４１ａ向けのパケットではないと判断し、破棄して（Ｓａ８）、処理を終了する。なお、ここでは１つの移動端末装置４０とＴＥ装置４１aが接続されている場合を例に説明したが、複数の移動端末装置４０やＴＥ装置４１aがＰＤＮ−ＧＷ装置２１と接続確立している場合には、パケットを破棄する前にそれらの装置についても同様の処理を行うものとする。
【００９８】
図１０に戻って、シーケンスＳ１００７のベアラ設定応答もしくプロキシバインディング応答を受信すると、Ｓ−ＧＷ装置２３は、ＭＮＰ１と加入者の識別情報とＭＭＥ装置２２とを関連付けて管理テーブル（ＰＤＮコネクション保持部２３１）に記録し、さらにベアラ設定応答をＭＭＥ装置２２に送信する（Ｓ１００９）。ベアラ設定応答には、Ｓ−ＧＷ装置２３のＩＰアドレスとＳ−ＧＷ用ＴＥＩＤ２とＭＮＰタイプ１とＭＮＰ１とＥＰＳベアラＩＤ２が含まれる。また、Ｓ−ＧＷ装置２３は、ＰＤＮ−ＧＷ装置２１から転送されてきたＭＮＰ１宛ユーザパケットのバッファリングを開始する。
【００９９】
ＭＭＥ装置２２は、シーケンスＳ１００９のベアラ設定応答を受信し、ＥＮＢ装置３１にＰＤＮコネクティビティ許可を送信する（Ｓ１０１０）。ＰＤＮコネクティビティ許可には、Ｓ−ＧＷ装置２３のＩＰアドレスとＡＰＮとＰＤＮコネクションＩＤ２とＳ−ＧＷ用ＴＥＩＤ２とＭＮＰタイプ１とＭＮＰ１とＥＰＳベアラＩＤ２が含まれる。このＰＤＮコネクティビティ許可を受けたＥＮＢ装置３１は、ＡＰＮとＰＤＮコネクションＩＤ２とＭＮＰタイプ１とＭＮＰ１とＥＰＳベアラＩＤ２を含んだＰＤＮコネクティビティ許可を移動端末装置４０に送信する（Ｓ１０１１）。
【０１００】
移動端末装置４０は、ＰＤＮコネクティビティ許可を受信して、ＭＮＰタイプ１とＭＮＰ１を取得するとともに、ＥＰＳベアラＩＤ２を含んだＲＲＣ接続再設定完了（RRC Connection Reconfiguration Complete）をＥＮＢ装置３１に送信する（Ｓ１０１２）。ＥＮＢ装置３１は、ＲＲＣ接続再設定完了を受信すると、ＥＮＢ装置３１のＩＰアドレスとＥＮＢ用ＴＥＩＤ２とＥＰＳベアラＩＤ２を含んだベアラ設定応答をＭＭＥ装置２２に送信する（Ｓ１０１３）。
【０１０１】
ＭＭＥ装置２２は、ベアラ設定応答を受信すると、ＥＮＢ装置３１のＩＰアドレスとＥＮＢ用ＴＥＩＤ２とＥＰＳベアラＩＤ２を含んだベアラ更新要求をＳ−ＧＷ装置２３に送信する（Ｓ１０１４）。Ｓ−ＧＷ装置２３は、ベアラ更新要求を受信すると、ＥＰＳベアラＩＤ２を含んだベアラ更新応答をＭＭＥ装置２２に返信する（Ｓ１０１５）。また、Ｓ−ＧＷ装置２３は、移動端末装置４０経由でＴＥ装置４１ａが接続しているＥＮＢ装置３１のＩＰアドレスを、シーケンスＳ１０１４のベアラ更新要求から取得しているので、ＰＤＮ−ＧＷ装置２１から転送されてきたＴＥ装置４１ａ向けのユーザパケットをバッファリングされていた分も含めＥＮＢ装置３１に転送開始し、ＥＮＢ装置３１はそのユーザパケットを移動端末装置４０に転送する（Ｓ１０１６）。
【０１０２】
シーケンスＳ１０１２でＲＲＣ接続再設定完了をＥＮＢ装置３１に送信した移動端末装置４０は、取得したＭＮＰ１を用いてＴＥ装置４１ａへのＩＰアドレス割り当てを行う。ここでは、ＭＮＰ１に設定されたＩＰｖ６プレフィックス２が設定されていたものとして説明するが、ＩＰｖ４サブネットアドレスが設定されていても同様である。また、ＩＰｖ４サブネットアドレスとＩＰｖ６プレフィックス２の両方が設定されているときは、これらのうち、ＴＥ装置４１ａがサポートしているプロトコルを選択して用いる。
【０１０３】
まず、移動端末装置４０は、ＩＰｖ６プレフィックス２を設定したＲＡ（Router Advertisement: ルータ広告）を生成し、ＴＥ装置４１ａに送信する（Ｓ１０１７）。ＴＥ装置４１ａは、ルータ広告を受信すると、ルータ広告からＩＰｖ６プレフィックス２を取り出し、ＩＰｖ６アドレスの自動生成を行う。さらに生成したアドレスに対してＤＡＤ（Duplicate Address Detection；重複アドレス検出）を移動端末装置４０との間で実行し、生成したアドレスがユニークであることを確認する（Ｓ１０１８）。
【０１０４】
ＴＥ装置４１ａは、重複アドレス検出によりＩＰｖ６アドレスがユニークであることを確認すると、ＭＴ接続無線通信部４１２経由でユーザデータの送受信が可能となる。ＰＤＮ−ＧＷ装置２１からＭＮＰ１宛に転送されたユーザパケットは、Ｓ−ＧＷ装置２３およびＥＮＢ装置３１を経由して移動端末装置４０まで転送され、移動端末装置４０は、ＴＥ接続無線通信部４０８を介してＴＥ装置４１ａに転送する（Ｓ１０１９）。
【０１０５】
また、移動端末装置４０は、ＴＥ装置４１ａからユーザデータを受信すると、移動端末装置４０のルータ機能がユーザデータの送信先アドレスに従ってユーザデータのルーティングを行う。送信先アドレスがＭＮＰ１もしくは移動端末装置４０自身の場合には、移動端末装置４０は直接宛先に転送する。それ以外の送信先アドレスであった場合には、確立したＰＤＮコネクション２内のＥＰＳベアラ２にユーザデータを転送し、当該ユーザデータはＰＤＮ−ＧＷ装置２１まで転送され、ＰＤＮ−ＧＷ装置２１により外部ＰＤＮ５０に向けて送出される（Ｓ１０２０）。
【０１０６】
また、ＭＭＥ装置２２は、シーケンスＳ１０１５のベアラ更新応答を受信したあと、位置情報更新要求をＨＳＳ装置２４に送信する（Ｓ１０２１）。この位置情報更新要求には確立したＰＤＮコネクション２の情報が含まれており、ＡＰＮとＰＤＮコネクションＩＤ２とＰＤＮ−ＧＷ装置２１のＩＰアドレスとＭＮＰタイプ１とＭＮＰ１が含まれる。ＨＳＳ装置２４は、この位置情報更新要求を受信すると、これらの情報を加入者のサブスクリプションデータに格納し、移動端末装置４０電源のＯＦＦ／ＯＮなどによって移動端末装置４０が再度ＥＰＳへのアタッチ及びＰＤＮコネクティビティ要求を行う際には、同じＭＮＰ１が割り当てられるようにする。さらにＨＳＳ装置２４は位置情報更新応答をＭＭＥ装置２２に送信する（Ｓ１０２２）。
【０１０７】
以後、新しくＴＥ装置４１ｂが移動端末装置４０に接続し、ルータ探索を送信すると（Ｓ１０２３）、移動端末装置４０は、新たなＰＤＮコネクションの確立は行わず、既にＴＥ装置４１ａ用に取得したＭＮＰ１を用いてＩＰアドレス割り当てを行う。すなわち、シーケンスＳ１０１７と同様に、移動端末装置４０は、ＩＰｖ６プレフィックス２を設定したルータ広告をＴＥ装置４１ｂに送信する（Ｓ１０２４）。ＴＥ装置４１ｂは、ルータ広告を受信すると、ＴＥ装置４１ａと同様に、ＩＰアドレスの生成および重複アドレス検出を実行し（Ｓ１０２５）、外部ＰＤＮ５０とのユーザデータ送受信が可能となる（Ｓ１０２６、Ｓ１０２７）。これらのシーケンスＳ１０２３〜Ｓ１０２５は、２台目以降の全てのＴＥに適用される。
【０１０８】
また、ＴＥ装置４１ａが移動端末装置４０へ接続した後、移動端末装置４０のＲＲＣ接続再設定完了（シーケンスＳ１０１２）送信を待たずにＴＥ装置４１ｂが移動端末装置４０に接続した場合には、移動端末装置４０は新たにＰＤＮコネクティビティ要求を開始せず、シーケンスＳ１０１１のＰＤＮコネクティビティ許可を待ち、該ＰＤＮコネクティビティ許可で通知されたＭＮＰ１を設定したルータ広告をＴＥ装置４１ｂに送信する。
【０１０９】
なお、ＴＥへのＩＰアドレス割り当て方法としてＤＨＣＰが利用された場合には、シーケンスＳ１０１１においてＭＮＰ１から取得したＩＰｖ４サブネットアドレス２もしくはＩＰｖ６プレフィックス２もしくはその両方を移動端末装置４０内のＤＨＣＰサーバにアドレスプールとして登録し、ＤＨＣＰ  ＲＥＱＵＥＳＴ（ＩＰアドレス割り当ての要求通知）を送信してきたＴＥに、割り当てるＩＰアドレスを含んだＤＨＣＰ  ＯＦＦＥＲ（ＩＰアドレス提供通知）を送信する。
【０１１０】
このように、本実施の形態では、移動端末装置４０がＰＤＮコネクティビティ要求によって、少なくとも１つのアドレスブロック（１つのＩＰｖ６プレフィックスもしくは１つのＩＰｖ４サブネットアドレスもしくはその両方）を取得し、それを当該移動端末装置４０に接続している複数ＴＥで共有する。これにより、接続するＴＥ数に関わらず１つのＰＤＮコネクションを確立するだけで、複数ＴＥに対して同時に外部ＰＤＮ５０への接続性を提供できる。
【０１１１】
また、ＴＥ同士の通信は、ＴＥ−ＵＥ（移動端末装置４０）間のルーティングによって解決されるためコアネットワーク２０および無線アクセスシステム３０のリソースを使うことなく実現される。さらにはＱｏＳや課金ルールはＥＰＳベアラ単位で設定可能であるため、移動端末装置４０自身が外部ＰＤＮ５０を介して送受信するユーザデータとＴＥ各々が外部ＰＤＮ５０を介して送受信するユーザデータとには、それぞれ異なるＱｏＳクラス、課金ルールを割り当てることができる。
【０１１２】
このように、本実施形態の通信システムは、ＵＥとしてもＭＴとしても機能する１つの移動端末装置４０に接続している複数ＴＥ（ＴＥ装置４１ａ、４１ｂ）に対して１つのＰＤＮコネクションを割当て、外部ＰＤＮ５０への接続を提供する。これにより通信システム全体として管理情報の削減が図れるとともに、シグナリングメッセージ数の削減が図れる。
【０１１３】
［第２の実施の形態］
以下、図面を参照して、本発明の第２の実施形態について説明する。本実施形態における移動体通信システム１０ａは、図１に示す第１の実施形態の移動体通信システム１０と同様の構成を有するが、移動端末装置４０に替えて、移動端末装置４０ａを備える点のみが異なる。これにより、第１の実施形態においては、ＵＥ用のＰＤＮコネクション１確立が完了した後に、ＴＥ用のＰＤＮコネクション２の確立を行うのに対し、本実施形態では、ＴＥ用のＰＤＮコネクション確立をＵＥのＥＰＳアタッチ時に同時に行う。
【０１１４】
図１２は、本実施形態における移動端末装置４０ａの構成を示す概略ブロック図である。移動端末装置４０ａは、コネクション要求部４０１ａ、アドレスブロック記憶部４０４、ルータ機能部４０５、アドレス割当部４０６、無線通信部４０７、ＴＥ接続無線通信部４０８を具備する。同図において図７に対応する各部には同じ符号（４０４〜４０８）を付し、説明を省略する。コネクション要求部４０１ａは、アタッチ要求部４０２ａを具備する。アタッチ要求部４０２ａは、アタッチ要求（ＵＥ用ＰＤＮコネクション設定）を、ＥＮＢ装置３１を介してコアネットワーク２０に要求する際に、ＴＥ用ＰＤＮコネクション設定の要求を含める。アタッチ要求部４０２ａは、この要求により設定されたＵＥ用ＰＤＮコネクションに割り当てられたＩＰアドレス及びＴＥ用ＰＤＮコネクションに割り当てられたアドレスブロックを示す情報（ＩＰｖ４ネットワークアドレスまたはＩＰｖ６プレフィックス）を、ＥＮＢ装置３１を介してコアネットワーク２０から受信する。
【０１１５】
図１３は、本実施形態における移動端末装置４０ａのＥＰＳへのアタッチシーケンス例を示す図である。シーケンスＳ１４０１からＳ１４０７までは、第１の実施形態における（図９）シーケンスＳ９０１からＳ９０７までと同様であるので、説明を省略する。Ｓ１４０７完了後、ＭＭＥ装置２２はＳ−ＧＷ装置２３とＰＤＮ−ＧＷ装置２１間のデフォルトＥＰＳベアラ確立のため、ベアラ設定要求をＳ−ＧＷ装置２３に送信する（Ｓ１４０８）。ＵＥ用のＰＤＮコネクション１とＴＥ用のＰＤＮコネクション２を同時確立するために、このベアラ設定要求には加入者の識別情報とＰＤＮ−ＧＷ装置２１のＩＰアドレスに加えて、ＵＥのＰＤＮコネクション１を確立するためのＡＰＮとＰＤＮコネクションＩＤ１とＰＤＮタイプ１とＰＤＮアドレス１とＥＰＳベアラＩＤ１と、ＴＥ用のＰＤＮコネクション２を確立するためのＡＰＮとＰＤＮコネクションＩＤ２とＭＮＰタイプ１とＭＮＰ１とＥＰＳベアラＩＤ２が含まれる。なお、ＰＤＮコネクションＩＤが、ＡＰＮと独立した識別子の場合には、１つのＡＰＮのみを含めてもよい。
【０１１６】
Ｓ−ＧＷ装置２３は、ベアラ設定要求を受信し、ＰＤＮ−ＧＷ装置２１との間でデフォルトＥＰＳベアラの確立手続きを開始する。Ｓ−ＧＷ装置２３とＰＤＮ―ＧＷ装置２１間でＧＴＰが使用される場合には、Ｓ−ＧＷ装置２３は、ＰＤＮ−ＧＷ装置２１にベアラ設定要求を送信する（Ｓ１４０９）。このベアラ設定要求には、加入者の識別情報とＳ−ＧＷ装置２３のＩＰアドレスと、ＡＰＮとＰＤＮコネクションＩＤ１とＳ−ＧＷ用ＴＥＩＤ１とＰＤＮタイプ１とＰＤＮアドレス１とＥＰＳベアラＩＤ１と、ＡＰＮとＰＤＮコネクションＩＤ２とＳ−ＧＷ用ＴＥＩＤ２とＭＮＰタイプ１とＭＮＰ１とＥＰＳベアラＩＤ２が含まれる。
【０１１７】
Ｓ―ＧＷ装置２３とＰＤＮ―ＧＷ装置２１間でＧＲＥが使用された場合には、シーケンスＳ１４０９において、Ｓ―ＧＷ装置２３は、ＰＤＮ−ＧＷ装置２１にプロキシバインディング更新（Proxy Binding Update）のメッセージを送信する。プロキシバインディング更新のメッセージには、移動体ネットワークアクセス識別子と、ＡＰＮとＰＤＮコネクションＩＤ１とダウンリンクＧＲＥキー１とＰＤＮタイプ１とＰＤＮアドレス１とＥＰＳベアラＩＤ１と、ＡＰＮとＰＤＮコネクションＩＤ２とダウンリンクＧＲＥキー２とＭＮＰタイプ１とＭＮＰ１とＥＰＳベアラＩＤ２が含まれる。
【０１１８】
ＰＤＮ−ＧＷ装置２１は、シーケンスＳ１４０９のベアラ設定要求もしくはプロキシバインディング更新を受信し、ＰＤＮコネクション１およびＰＤＮコネクション２の設定を開始する（Ｓ１４１０とＳ１４１１）。シーケンスＳ１４１０のＰＤＮコネクション１の設定方法は、第１の実施の形態のＳ９１０に従う。また、シーケンスＳ１４１１のＰＤＮコネクション２の設定方法は、第１の実施の形態のＳ１００６に従う。
【０１１９】
ＰＤＮコネクション１の設定とＰＤＮコネクション２の設定が終了すると、ＰＤＮ−ＧＷ装置２１は、ベアラ設定応答もしくはプロキシバインディング応答（Proxy Binding Acknowledgment）をＳ−ＧＷ装置２３に返信する（Ｓ１４１２）。ＧＴＰを用いている場合には、シーケンスＳ１４１２にはベアラ設定応答が用いられ、ベアラ設定応答には、ＰＤＮコネクション１のためのＰＤＮ−ＧＷ用ＴＥＩＤ１とＰＤＮタイプ１とＰＤＮアドレス１とＥＰＳベアラＩＤ１と、ＰＤＮコネクション２のためのＰＤＮ―ＧＷ用ＴＥＩＤ２とＭＮＰタイプ１とＭＮＰ１とＥＰＳベアラＩＤ２が含まれる。
【０１２０】
ＧＲＥを用いている場合には、シーケンスＳ１４１２にはプロキシバインディング応答が使用され、プロキシバインディング応答のメッセージ内には、移動体ネットワークアクセス識別子とＰＤＮコネクションＩＤ１とアップリンクＧＲＥキー１とＰＤＮタイプ１とＰＤＮアドレス１とＰＤＮコネクションＩＤ２とアップリンクＧＲＥキー２とＭＮＰタイプ１とＭＮＰ１が含まれる。
【０１２１】
さらに、ＰＤＮ−ＧＷ装置２１は、外部ＰＤＮ５０からＰＤＮアドレス１宛に転送されたユーザパケットを、確立したＥＰＳベアラ１を用いてＳ−ＧＷ装置２３まで転送開始する。また、外部ＰＤＮ５０からＭＮＰ１宛に転送されたユーザパケットを、確立したＥＰＳベアラ２を用いてＳ−ＧＷ装置２３まで転送開始する（Ｓ１４１３）。
【０１２２】
シーケンスＳ１４１２のプロキシバインディング応答またはベアラ設定応答を受信すると、Ｓ−ＧＷ装置２３は、ＰＤＮアドレス１とＭＮＰ１と加入者の識別情報とＭＭＥ装置２２とを関連付けて管理テーブル（ＰＤＮコネクション保持部２３１）に記録し、さらにベアラ設定応答をＭＭＥ装置２２に送信する（Ｓ１４１４）。このベアラ設定応答には、Ｓ−ＧＷ装置２３のＩＰアドレスと、ＰＤＮコネクション１のためのＳ―ＧＷ用ＴＥＩＤ１とＰＤＮタイプ１とＰＤＮアドレス１とＥＰＳベアラＩＤ１と、ＰＤＮコネクション２のためのＳ−ＧＷ用ＴＥＩＤ２とＭＮＰタイプ１とＭＮＰ１とＥＰＳベアラＩＤ２が含まれる。また、Ｓ−ＧＷ装置２３はＰＤＮ−ＧＷ装置２１から転送されてきたＰＤＮアドレス１宛およびＭＮＰ１宛のユーザパケット（Ｓ１４１３）のバッファリングを開始する。
【０１２３】
ＭＭＥ装置２２は、ベアラ設定応答を受信し、ＥＮＢ装置３１にアタッチ許可を送信する（Ｓ１４１５）。アタッチ許可には、Ｓ−ＧＷ装置２３のＩＰアドレスと、ＰＤＮコネクション１のためのＡＰＮとＰＤＮコネクションＩＤ１とＳ−ＧＷ用ＴＥＩＤ１とＰＤＮタイプ１とＰＤＮアドレス１とＥＰＳベアラＩＤ１と、ＰＤＮコネクション２のためのＡＰＮとＰＤＮコネクションＩＤ２とＳ―ＧＷ用ＴＥＩＤ２とＭＮＰタイプ１とＭＮＰ１とＥＰＳベアラＩＤ２が含まれる。
【０１２４】
ＥＮＢ装置３１は、ＰＤＮコネクション１のためのＡＰＮとＰＤＮコネクションＩＤ１とＰＤＮタイプ１とＰＤＮアドレス１とＥＰＳベアラＩＤ１と、ＰＤＮコネクション２のためのＡＰＮとＰＤＮコネクションＩＤ２とＭＮＰタイプ１とＭＮＰ１とＥＰＳベアラＩＤ２を含んだアタッチ許可を移動端末装置４０ａに送信する（Ｓ１４１６）。移動端末装置４０ａはアタッチ許可を受信し、含まれているＰＤＮタイプ１とＰＤＮアドレス１とＭＮＰタイプ１とＭＮＰ１を取得し、ＥＰＳベアラＩＤ１とＥＰＳベアラＩＤ２を含んだアタッチ完了をＥＮＢ装置３１に送信する（Ｓ１４１７）。さらに、移動端末装置４０ａはユーザデータの送受信可能状態に遷移する。
【０１２５】
ＥＮＢ装置３１は、アタッチ完了を受信し、ＥＮＢ装置３１のＩＰアドレスとＥＮＢ用ＴＥＩＤ１とＥＰＳベアラＩＤ１とＥＮＢ用ＴＥＩＤ２とＥＰＳベアラＩＤ２を含んだアタッチ完了をＭＭＥ装置２２に送信する（Ｓ１４１８）。
ここで、移動端末装置４０ａが外部ＰＤＮ５０宛にユーザデータを送信すると、該ユーザデータは、確立したＰＤＮコネクション１内のＥＰＳベアラ１を用いてＰＤＮ−ＧＷ装置２１まで転送された後、外部ＰＤＮ５０に向けて送出される（Ｓ１４１９）。
【０１２６】
シーケンスＳ１４１８のアタッチ完了を受信すると、ＭＭＥ装置２２は、ＥＮＢ装置３１のＩＰアドレスとＥＮＢ用ＴＥＩＤ１とＥＰＳベアラＩＤ１とＥＮＢ用ＴＥＩＤ２とＥＰＳベアラＩＤ２を含んだベアラ更新要求をＳ−ＧＷ装置２３へ送信する（Ｓ１４２０）。Ｓ−ＧＷ装置２３はＥＰＳベアラＩＤ１とＥＰＳベアラＩＤ２を含んだベアラ更新応答をＭＭＥ装置２２に返信する（Ｓ１４２１）。
【０１２７】
また、シーケンスＳ１４２０のベアラ更新要求を受信したＳ−ＧＷ装置２３は、移動端末装置４０ａが接続しているＥＮＢ装置３１のＩＰアドレスをベアラ更新要求から取得するので、ＰＤＮ−ＧＷ装置２１から転送されてきた移動端末装置４０ａ向けおよびＴＥ装置４１ａ向け（ＭＮＰ１宛て）のユーザパケットをバッファリングされた分も含めＥＮＢ装置３１に転送開始し、ＥＮＢ装置３１はそのユーザパケットを移動端末装置４０ａに送信する（Ｓ１４２２）。
【０１２８】
また、シーケンスＳ１４１７でアタッチ完了をＥＮＢ装置３１に送信した移動端末装置４０ａは、シーケンスＳ１４１６のアタッチ許可のＭＮＰ１に設定されたＩＰｖ４サブネットアドレス２およびＩＰｖ６プレフィックス２を用いてＴＥ装置４１ａへのＩＰアドレス割り当て（ルータ広告送信）を開始する（Ｓ１４２３）。
【０１２９】
また、ＭＭＥ装置２２は、シーケンスＳ１４２１のベアラ更新応答を受信したあと、位置情報更新要求をＨＳＳ装置２４に送信する（Ｓ１４２４）。この位置情報更新要求には確立したＰＤＮコネクション１とＰＤＮコネクション２の情報が含まれており、ＰＤＮ−ＧＷ装置２１のアドレスと、ＰＤＮコネクション１の情報としてＡＰＮとＰＤＮコネクションＩＤ１とＰＤＮタイプ１とＰＤＮアドレス１と、ＰＤＮコネクション２の情報としてＡＰＮとＰＤＮコネクションＩＤ２とＭＮＰタイプ１とＭＮＰ１が含まれる。ＨＳＳ装置２４は、これらの情報を加入者のサブスクリプションデータに格納し、移動端末装置４０ａの電源のＯＦＦ／ＯＮなどによって移動端末装置４０ａが再度ＥＰＳへのアタッチを行う際には、同じＭＮＰ１が割り当てられるようにする。さらにＨＳＳ装置２４は位置情報更新応答をＭＭＥ装置２２に送信する（Ｓ１４２５）。
【０１３０】
以上で、移動端末装置４０ａのＥＰＳへのアタッチと同時にＴＥ用のＰＤＮコネクション２の確立も完了する。なお、ここでは、２つのＰＤＮコネクションを同時に確立する例が示されているが、２つに限らず、同様の方法で３つ以上のＰＤＮコネクションを同時に確立するようにしてもよい。
【０１３１】
このように、ＴＥが起動していない段階であっても、移動端末装置４０ａのＥＰＳアタッチ時に同時にＴＥ用のＰＤＮコネクション確立を行うことにより、複数ＰＤＮコネクションの確立を１回のシグナリングに集約することができ、システム全体としてシグナリングメッセージ数の削減と全ＰＤＮコネクション確立までの時間短縮が図れる。また、ＴＥは起動後、すぐに外部ＰＤＮ５０への接続性を確保することができる。
【０１３２】
［第３の実施の形態］
以下、図面を参照して、本発明の第３の実施形態について説明する。本実施形態における移動体通信システム１０ｂは、図１に示す第１の実施形態の移動体通信システム１０と同様の構成を有するが、ＰＤＮ−ＧＷ装置２１に替えてＰＤＮ−ＧＷ装置２１ｂを備える点と、移動端末装置４０に替えて移動端末装置４０ｂを備える点のみが異なる。これにより、第１の実施形態においては、３ＧＰＰ規定のＮＡＳシグナリングメッセージを用いてＵＥにアドレスブロック割当てを行うのに対し、本実施形態では、ＤＨＣＰ（Dynamic Host Configuration Protocol；動的ホスト設定プロトコル）ｖ６  Ｐｒｅｆｉｘ  Ｄｅｌｅｇａｔｉｏｎ（ＩＥＴＦ  ＲＦＣ３６３３）を用いてＵＥにアドレスブロック割り当てを行う。
【０１３３】
図１４は、本実施形態におけるＰＤＮ−ＧＷ装置２１ｂの構成を示す概略ブロック図である。本実施形態におけるＰＤＮ−ＧＷ装置２１ｂは、図２に示すＰＤＮ−ＧＷ装置２１に加えて、ＤＨＣＰサーバ部２１７を具備する。ＤＨＣＰサーバ部２１７は、ＤＨＣＰを用いたアドレスブロックの要求を受けると、要求元の移動端末装置４０ｂのＴＥ用ＰＤＮコネクションにアドレスブロックを割り当てて移動端末装置４０ｂに送信する。なお、Ｓ−ＧＷ装置２３とＰＤＮ−ＧＷ装置２１ｂとの間でＥＰＳベアラを実現するトンネリングプロトコルとしてＧＲＥが使用される場合には、Ｓ−ＧＷ装置２３はＤＨＣＰリレー機能（不図示）を具備する。
また、図１５は、本実施形態における移動端末装置４０ｂの構成を示す概略ブロック図である。本実施形態における移動端末装置４０ｂは、図７に示す移動端末装置２１に加えて、ＤＨＣＰクライアント部４０９を具備する。ＤＨＣＰクライアント部４０９は、動的ホスト設定プロトコルを用いて、ＰＤＮ−ＧＷ装置２１ｂにアドレスブロックを要求し、この要求によりＴＥ用ＰＤＮコネクションに割当てられたアドレスブロックを示す情報をＰＤＮ−ＧＷ装置２１ｂから受信する。
【０１３４】
図１６は、本実施形態における移動端末装置４０ｂの接続シーケンス例を示すシーケンス図である。図１６に示すシーケンスは、図１０のシーケンスＳ１０１２に続けて、移動端末装置４０ｂが開始するシーケンスである。移動端末装置４０ｂは、シーケンスＳ１０１２のＲＲＣ接続再設定完了をＥＮＢ装置３１に送信したのち、シーケンスＳ１０１１で取得したＭＮＰ１を使用する代わりに、新たにアドレスブロックを取得するための以下に示すＤＨＣＰシーケンスを開始する。
【０１３５】
移動端末装置４０ｂのＤＨＣＰクライアント部４０９は、まずＤＨＣＰサーバを探索するためにＤＨＣＰ探索（DHCP Solicit）メッセージをリンクローカルブロードキャスト送信する（Ｓ１１０１）。Ｓ−ＧＷ装置２３とＰＤＮ−ＧＷ装置２１ｂ間でＧＲＥが使用されている場合には、Ｓ−ＧＷ装置２３が移動端末装置４０ｂのデフォルトルータとして機能するため、Ｓ−ＧＷ装置２３がＤＨＣＰ探索メッセージを受信し、ＤＨＣＰリレー機能を用いてＰＤＮ−ＧＷ装置２１ｂに転送する。ＧＴＰが使用されている場合には、ＰＤＮ−ＧＷ装置２１ｂがデフォルトルータとして機能するので、移動端末装置４０ｂが送信したＤＨＣＰ探索メッセージは直接ＰＤＮ−ＧＷ装置２１ｂに到達する。
【０１３６】
ＰＤＮ−ＧＷ装置２１ｂが具備するＤＨＣＰサーバ部２１７は、ＤＨＣＰ探索メッセージを受信し、ＤＨＣＰサーバ部２１７のＩＰアドレスを格納したＤＨＣＰ通知（DHCP Advertise）メッセージを返信する（Ｓ１１０２）。ＧＲＥが使用されている場合には、同様にＳ−ＧＷ装置２３のＤＨＣＰリレー機能がＤＨＣＰ通知メッセージを移動端末装置４０ｂに転送する。移動端末装置４０ｂのＤＨＣＰクライアント部４０９は、ＤＨＣＰ通知メッセージを受信し、ＰＤＮ−ＧＷ装置２１ｂのＤＨＣＰサーバ部２１７のＩＰアドレスを取得すると、割り当てを希望するＩＰｖ６プレフィックス長（ここでは４８とする）を格納したＤＨＣＰ要求（DHCP REQUEST）メッセージを、取得したＩＰアドレスを用いてＰＤＮ−ＧＷ装置２１ｂのＤＨＣＰサーバ部２１７に送信する（Ｓ１１０３）。
【０１３７】
ＰＤＮ−ＧＷ装置２１ｂのＤＨＣＰサーバ部２１７は、ＤＨＣＰ要求メッセージを移動端末装置４０ｂから受信し、要求されたプレフィックス長に対応するＩＰｖ６プレフィックス３（仮に２００１：１０００：：／４８とする）を、当該装置のアドレスブロック保持部２１４が記憶するアドレスプールから取り出してＰＤＮコネクション２に割当てる。さらに、シーケンスＳ１００６でＰＤＮコネクション２に割り当てられていたＭＮＰ１を開放し、ＰＤＮ−ＧＷ装置２１ｂが管理するアドレスプールに戻すとともに、ＭＮＰ１には新しいＩＰｖ６プレフィックス３を割り当て、外部ＰＤＮ５０からＩＰｖ６プレフィックス３向けに転送されたユーザパケットをＥＰＳベアラ２に結び付け、Ｓ−ＧＷ装置２３まで転送するよう設定する（Ｓ１１０４）。
【０１３８】
そして、ＰＤＮ−ＧＷ装置２１ｂのＤＨＣＰサーバ部２１７は、ＩＰｖ６プレフィックス３をＤＨＣＰ応答（DHCP REPLY）メッセージ内に格納し、移動端末装置４０ｂに送信する（Ｓ１１０５）。ＧＲＥが使用されている場合には、Ｓ−ＧＷ装置２３がＤＨＣＰ応答メッセージを受信するので、ＰＤＮ−ＧＷ装置２１ｂと同様にＰＤＮコネクション２に割り当てられていたＭＮＰ１を更新してＩＰｖ６プレフィックス３を割当てるとともに、ＤＨＣＰ応答メッセージを移動端末装置４０ｂに転送する。
【０１３９】
移動端末装置４０ｂのＤＨＣＰクライアント部４０９は、ＤＨＣＰ応答メッセージを取得し、割り当てられたＩＰｖ６プレフィックス３を用いて、第１の実施形態（図１０）のシーケンスＳ１０１７とＳ１０１８と同様にしてＴＥ装置４１ａにアドレス割り当てを行う。
なお、本実施形態ではＭＮＰタイプとしてＩＰｖ６が選択された場合を例に説明したが、ＭＮＰタイプがＩＰｖ４であっても同様である。
【０１４０】
このように、ＤＨＣＰでＩＰｖ６プレフィックスもしくはＩＰｖ４サブネットアドレスを取得することで、プレフィックス長を自由に設定することができ、必要な数のアドレスブロックを１回の手続きで取得し、さらに、そのアドレスブロックから生成されたＩＰアドレスを用いた全ての通信を１つのＰＤＮコネクションに集約することができる。
【０１４１】
［第４の実施の形態］
以下、図面を参照して、本発明の第４の実施形態について説明する。本実施形態における移動体通信システム１０は、第１の実施形態における移動体通信システム１０と同様の構成を有するが、ＰＤＮ−ＧＷ装置２１に替えてＰＤＮ−ＧＷ装置２１ｃを備える点と、移動端末装置４０に替えて移動端末装置４０ｃを備える点のみが異なる。これにより、第１の実施形態においては、複数ＴＥに対して１つのＩＰｖ４サブネットアドレスもしくは１つのＩＰｖ６プレフィックスもしくはその両方を割り当て、複数ＴＥが１つのＰＤＮコネクションを共有するのに対し、本実施形態では、複数ＴＥ間でＩＰｖ６プレフィックスを共有しながら、ＴＥ毎に異なるＰＤＮコネクションを割り当てる。
【０１４２】
図１７は、ＰＤＮ−ＧＷ装置２１ｃの構成を示す概略ブロック図である。ＰＤＮ−ＧＷ装置２１ｃは、ＰＤＮ−ＧＷ装置２１ｃは、アドレスブロック保持部２１１と、ＰＤＮコネクション設定部２１２ｃと、Ｓ−ＧＷ接続Ｉ／Ｆ部２１３と、ＰＤＮコネクション保持部２１４と、ユーザデータ転送部２１５と、ＰＤＮ接続Ｉ／Ｆ部２１６とを具備する。同図において、図２に対応する部分には同じ符号（２１１、２１３〜２１６）を付し、説明を省略する。ＰＤＮコネクション設定部２１２ｃは、ＵＥ用ＰＤＮコネクションの設定については、ＰＤＮコネクション設定部２１２と同様にして行う。しかし、ＰＤＮコネクション設定部２１２ｃは、移動端末装置４０ｃからのＴＥ用ＰＤＮコネクション設定の要求を受けると、ＴＥ用ＰＤＮコネクションに割当てたアドレスブロックに属するアドレスと、ＴＥ用ＰＤＮコネクションに関する情報とを対応付けてＰＤＮコネクション保持部２１４に記憶させ、割り当てたアドレスを移動端末装置４０ｃに送信する。
【０１４３】
図１８は、移動端末装置４０ｃの構成を示す概略ブロック図である。移動端末装置４０ｃは、コネクション要求部４０１ｃ、アドレスブロック記憶部４０４、ルータ機能部４０５、アドレス割当部４０６ｃ、無線通信部４０７、ＴＥ接続無線通信部４０８を具備する。コネクション要求部４０１ｃは、アタッチ要求部４０２、ＴＥ用コネクション要求部４０３ｃを具備する。同図において、図７と同じ部分には同じ符号（４０２、４０４、４０５、４０７、４０８）を付し、説明を省略する。ＴＥ用コネクション要求部４０３ｃは、ＴＥ装置４１a、４１ｂからの接続要求を受けると、ＴＥ用ＰＤＮコネクション設定を、コアネットワーク２０に要求し、要求により設定されたＴＥ用ＰＤＮコネクションに割り当てられたアドレスを示す情報を要求の応答として受信する。ＴＥ用コネクション要求部４０３ｃは、受信したアドレスをアドレスブロック記憶部４０４に記憶させる。アドレス割当部４０６ｃは、アドレスブロック記憶部４０４が記憶するアドレス、すなわちＰＤＮコネクション要求部４０３ｃが受信したアドレスを、接続要求元のＴＥ装置４１ａ、４１ｂに割り当てる。
【０１４４】
図１９は、ＴＥ装置４１ａ、４１ｂが、外部ＰＤＮ５０との通信を行うための接続シーケンス例を示すシーケンス図である。このシーケンス例は、既に図９に示した第１の実施形態の移動端末装置４０ｃのＥＰＳアタッチシーケンスが完了している状態から開始するシーケンスである。まず、ＴＥ装置４１ａは、ＭＴ接続無線通信部４１２をアクティブ状態にし、ＩＰアドレス割り当てプロトコルを起動する。ここではＩＰアドレス割り当てプロトコルとしてＩＰｖ６ステートレス自動設定（IPv6 Stateless Auto Configuration）が使用された場合について説明する。
【０１４５】
ＴＥ装置４１ａは、デフォルトルータを探索するため、ルータ探索を送信する（Ｓ１２０１）。移動端末装置４０ｃは、ＴＥ装置４１ａからルータ探索を受信し、移動端末装置４０ｃ自身がＥＰＳ内でアイドル状態に遷移しているのであれば、通信データの送受信を行うためにアクティブ状態に遷移する（Ｓ１２０２）（３ＧＰＰ仕様ＴＳ２３．４０１）。また、ルータ探索の送信元リンクローカルアドレス（ＴＥ装置４１ａがＭＴ接続無線通信部４１２のＭＡＣアドレスを用いて自動生成する）の下位６４ビットをＴＥ装置４１のインタフェースＩＤ１として保持する。
【０１４６】
そして、ＴＥ装置４１ａ用に新たにＰＤＮコネクション２を確立するためのＰＤＮコネクティビティ要求をＭＭＥ装置２２に送信する（Ｓ１２０３）。このＰＤＮコネクティビティ要求には、ＡＰＮとＭＮＰタイプ１と上記取得したＴＥ装置４１のインタフェースＩＤ１が含まれる。ＭＭＥ装置２２は、ＰＤＮコネクティビティ要求を受信し、新たにＰＤＮコネクション２を確立するため、ベアラ設定要求をＳ−ＧＷ装置２３に送信する（Ｓ１２０４）。
【０１４７】
このベアラ設定要求には、シーケンスＳ１２０３のＰＤＮコネクティビティ要求に含まれているＡＰＮとＭＮＰタイプ１に加えて、加入者の識別情報とＰＤＮ−ＧＷ装置２１ｃのＩＰアドレスとＰＤＮコネクションＩＤ２とＭＮＰ１とインタフェースＩＤ１とＥＰＳベアラＩＤ２が含まれる。なお、ＭＮＰとインタフェースＩＤは独立した情報要素でなくてもよく、例えば１つの情報要素の上位６４ビットにＭＮＰの上位６４ビットを用い、下位６４ビットにインタフェースＩＤを用いても良い。
【０１４８】
Ｓ−ＧＷ装置２３はベアラ設定要求を受信し、ＰＤＮ−ＧＷ装置２１ｃとの間でＴＥ装置４１ａ用のデフォルトＥＰＳベアラの確立手続きを開始する。ＥＰＳベアラを実現するプロトコルとしてＧＴＰが使用される場合には、Ｓ−ＧＷ装置２３はＰＤＮ−ＧＷ装置２１ｃにベアラ設定要求を送信する（Ｓ１２０５）。ベアラ設定要求には、加入者の識別情報とＳ−ＧＷ装置２３のＩＰアドレスとＡＰＮとＰＤＮコネクションＩＤ２とＳ−ＧＷ用ＴＥＩＤ２とＭＮＰタイプ１とＭＮＰ１とインタフェースＩＤ１とＥＰＳベアラＩＤ２が含まれる。
【０１４９】
ＥＰＳベアラを実現するプロトコルとしてＧＲＥが使用された場合には、シーケンスＳ１２０５において、Ｓ−ＧＷ装置２３は、ＰＤＮ−ＧＷ装置２１ｃにプロキシバインディング更新（Proxy Binding Update）のメッセージを送信する。プロキシバインディング更新のメッセージには、移動体ネットワークアクセス識別子とＡＰＮとＰＤＮコネクションＩＤ２とダウンリンクＧＲＥキー２とＭＮＰタイプ１とＭＮＰ１とインタフェースＩＤ１が含まれる。
【０１５０】
ＰＤＮ−ＧＷ装置２１ｃは、シーケンスＳ１２０５のベアラ設定要求もしくはプロキシバインディング更新を受信し、ＰＤＮコネクション２の設定を開始する（Ｓ１２０６）。まず、ＭＮＰ１に特定ＩＰｖ４サブネットアドレスおよび特定ＩＰｖ６プレフィックスが指定されていない場合には、ＰＤＮ−ＧＷ装置２１ｃが管理するアドレスプールからＭＮＰタイプ１に従って、ＩＰｖ６プレフィックス２をＭＮＰ１に割り当てる。そして、上位６４ビットにＭＮＰ１の上位６４ビットを割り当て、下位６４ビットにインタフェースＩＤを割り当てた新しいＩＰｖ６アドレス２を生成し、確立したＰＤＮコネクション２のＰＤＮアドレスとしてＩＰｖ６アドレス２を割り当てる。さらに、ＰＤＮコネクション２に関連付けられたデフォルトＥＰＳベアラ２を確立し、ＰＤＮからＩＰｖ６アドレス２宛に転送されたユーザパケットを上記確立したＥＰＳベアラ２に結び付ける。
【０１５１】
そして、ＰＤＮ−ＧＷ装置２１ｃは、ベアラ設定応答もしくはプロキシバインディング応答（Proxy Binding Acknowledgement）をＳ−ＧＷ装置２３に返信する（Ｓ１２０７）。ＧＴＰを用いている場合には、シーケンスＳ１２０７にはベアラ設定応答が用いられる。このベアラ設定応答には、ＰＤＮ−ＧＷ用ＴＥＩＤ２とＰＤＮタイプ２とＰＤＮアドレス２とＥＰＳベアラＩＤ２が含まれる。ＰＤＮタイプ２はＰＤＮコネクション２に割り当てたＩＰアドレスのアドレスタイプとし、ＰＤＮアドレス２にはＩＰｖ６アドレス２を格納する。ＧＲＥを用いている場合には、シーケンスＳ１２０７にはプロキシバインディング応答が用いられる。このプロキシバインディング応答には、移動体ネットワークアクセス識別子とＰＤＮコネクションＩＤ２とアップリンクＧＲＥキー２とＰＤＮタイプ２とＰＤＮアドレス２が含まれる。
【０１５２】
さらに、ＰＤＮ−ＧＷ装置２１ｃは、ＥＰＳベアラ２を用いて、外部ＰＤＮ５０からＩＰｖ６アドレス２宛に転送されたユーザパケットをＳ−ＧＷ装置２３まで転送開始する（Ｓ１２０８）。
シーケンスＳ１２０７のベアラ設定応答もしくはプロキシバインディング応答を受けると、Ｓ−ＧＷ装置２３は、ＰＤＮアドレス２と加入者の識別情報とＭＭＥ装置２２とに関連付けて管理テーブル（ＰＤＮコネクション保持部２３１）に記録し、さらにベアラ設定応答をＭＭＥ装置２２に送信する（Ｓ１２０９）。ベアラ設定応答には、Ｓ−ＧＷ装置２３のＩＰアドレスとＳ−ＧＷ用ＴＥＩＤ２とＰＤＮタイプ２とＰＤＮアドレス２とＥＰＳベアラＩＤ２が含まれる。また、Ｓ−ＧＷ装置２３は、ＰＤＮ−ＧＷ装置２１ｃから転送されてきたユーザパケットのバッファリングを開始する。
【０１５３】
ＭＭＥ装置２２は、ベアラ設定応答を受信し、ＥＮＢ装置３１にＰＤＮコネクティビティ許可を送信する（Ｓ１２１０）。ＰＤＮコネクティビティ許可には、Ｓ−ＧＷ装置２３のＩＰアドレスとＡＰＮとＰＤＮコネクションＩＤ２とＳ−ＧＷ用ＴＥＩＤ２とＰＤＮタイプ２とＰＤＮアドレス２とＥＰＳベアラＩＤ２が含まれる。ＥＮＢ装置３１は、シーケンスＳ１２１０のＰＤＮコネクティビティ許可を受信すると、ＡＰＮとＰＤＮコネクションＩＤ２とＰＤＮタイプ２とＰＤＮアドレス２とＥＰＳベアラＩＤ２を含んだＰＤＮコネクティビティ許可を、移動端末装置４０ｃに送信する（Ｓ１２１１）。
【０１５４】
移動端末装置４０ｃは、このＰＤＮコネクティビティ許可を受信し、ＰＤＮアドレス２を取得するとともに、ＥＰＳベアラＩＤ２を含んだＲＲＣ接続再設定完了（RRC Connection Reconfiguration Complete）をＥＮＢ装置３１に送信する（Ｓ１２１２）。以降のシーケンスＳ１２１３、Ｓ１２１４、Ｓ１２１５、Ｓ１２１６は、それぞれ図１０に示した第１の実施の形態におけるシーケンスＳ１０１３、Ｓ１０１４、Ｓ１０１５、Ｓ１０１６と同じであるので、説明を省略する。
【０１５５】
シーケンスＳ１２１２で、ＲＲＣ接続再設定完了をＥＮＢ装置３１に送信した移動端末装置４０ｃは、取得したＰＤＮアドレス２からＩＰｖ６アドレス２を取り出し、その上位６４ビットをＩＰｖ６プレフィックスとして設定したルータ広告をＴＥ装置４１ａに送信する（Ｓ１２１７）。なお、このルータ広告は、シーケンスＳ１２０１のルータ探索に対する応答である。
【０１５６】
ＴＥ装置４１ａは、ルータ広告を受信し、ルータ広告に含まれたＩＰｖ６プレフィックスとインタフェースＩＤを用いてＩＰｖ６アドレスの自動生成を行い、結果としてＩＰｖ６アドレス２と同じアドレスが生成される。さらに、ＴＥ装置４１ａは、移動端末装置４０ｃとの間で、生成したＩＰｖ６アドレスについて重複アドレス検出（Duplicate Address Detection；ＤＡＤ）を実行し（Ｓ１２１８）、生成したＩＰｖ６アドレスがユニークであることを確認する（Ｓ１２１８）。
【０１５７】
ＴＥ装置４１ａは、重複アドレス検出によりＩＰｖ６アドレスがユニークであることを確認すると、ＭＴ接続無線通信部４１２経由でユーザデータの送受信が可能となる。ＰＤＮ−ＧＷ装置２１ｃからＩＰｖ６アドレス２宛に転送されたユーザパケットは、Ｓ−ＧＷ装置２３およびＥＮＢ装置３１を経由して移動端末装置４０ｃまで転送され（Ｓ１２１６）、移動端末装置４０ｃはＴＥ接続無線通信部４０８を介してＴＥ装置４１ａに転送する（Ｓ１２１９）。
【０１５８】
また、移動端末装置４０ｃは、ＴＥ装置４１ａからユーザデータを受信すると、移動端末装置４０ｃのルータ機能がユーザデータの送信先アドレスに従ってルーティングを行う。送信先アドレスがＭＮＰ１もしくは移動端末装置４０ｃ自身の場合には、移動端末装置４０ｃは直接宛先に転送する。それ以外の送信先アドレスであった場合には、確立したＰＤＮコネクション２内のＥＰＳベアラ２にユーザデータを転送し、当該ユーザデータはＰＤＮ−ＧＷ装置２１ｃまで転送され、ＰＤＮ−ＧＷ装置２１ｃにより外部ＰＤＮ５０に向けて送出される（Ｓ１２２０）。
【０１５９】
ＭＭＥ装置２２は、シーケンスＳ１２１５のベアラ更新応答を受信したあと、位置情報更新要求をＨＳＳ装置２４に送信する（Ｓ１２２１）。位置情報更新要求には確立したＰＤＮコネクション２の情報が含まれており、ＡＰＮとＰＤＮコネクションＩＤ２とＰＤＮ−ＧＷ装置２１ｃのアドレスとＭＮＰ１タイプとＭＮＰ１が含まれる。
ＨＳＳ装置２４は、これらの情報を加入者のサブスクリプションデータに格納し、移動端末装置４０ｃが再度ＥＰＳへのアタッチを行い（電源ＯＦＦ／ＯＮなどによる）、ＰＤＮコネクティビティ要求を行う際には、同じＰＤＮアドレスプレフィックスが割り当てられるようにする。さらにＨＳＳ装置２４は位置情報更新応答をＭＭＥ装置２２に送信する（Ｓ１２２２）。
【０１６０】
以後、新しくＴＥ装置４１ｂが、移動端末装置４０ｃに接続すると、シーケンスＳ１２０１からＳ１２２２までを繰り返し、新しいＰＤＮコネクションの確立を行う。しかし、ＭＭＥ装置２２が、Ｓ−ＧＷ装置２３に送信するベアラ設定要求内のＭＮＰ１には、既にＴＥ装置４１ａに割り当てられているＩＰｖ６プレフィックス２を格納し、ＴＥ装置４１ｂにも同じＩＰｖ６プレフィックスを持つＩＰアドレスが割り当てられるようにする。これは２台目以降の全てのＴＥに適用される。
【０１６１】
なお、本実施形態では、ＩＰｖ６が用いられた場合を例に説明したが、ＩＰｖ４が使用された場合にも同様の処理がなされるものとする。ただし、ＩＰｖ４の場合には、インタフェースＩＤは使用せず、シーケンスＳ１２０６において、ＰＤＮ−ＧＷ装置２１ｃが１つのＩＰｖ４サブネットアドレスからＴＥ用のＩＰｖ４アドレスを生成し、ＰＤＮアドレス２として割り当てるものとする。
【０１６２】
このようにＴＥ装置４１ａ、４１ｂなどのＴＥ毎にＰＤＮコネクションを確立し、ＰＤＮ−ＧＷ装置２１ｃや移動端末装置４０ｃがＴＥのＩＰアドレス毎に個別のＥＰＳベアラへの振り分けを行うことによって、同じ通信相手であってもＴＥ毎に異なるＱｏＳクラス、課金ルールの割り当てが可能となる。
【０１６３】
［第５の実施の形態］
第１から第４の実施形態においては、複数ＴＥに割り当てられたＩＰｖ６プレフィックスと移動端末装置４０に割り当てられているＩＰｖ６プレフィックスは異なる。本発明の第５の実施形態における移動体通信システム１０ｄは、第４の実施形態における移動体通信システム１０ｃと同様の構成を有するが、ＭＭＥ装置２２に替えてＭＭＥ装置２２ｄを備える点のみが異なる。これにより本実施形態では、移動端末装置４０と複数ＴＥが同じプレフィックスを共有する。
【０１６４】
図２０は、本実施形態におけるＭＭＥ装置２２ｄの構成を示す概略ブロック図である。ＭＭＥ装置２２ｄは、ＨＳＳ接続Ｉ／Ｆ部２２１、通信制御部２２２ｄ、ＥＮＯＤＥＢ接続Ｉ／Ｆ部２２３、位置情報保持部２２４、加入者情報保持部２２５、Ｓ−ＧＷ接続Ｉ／Ｆ部２２６を具備する。通信制御部２２２ｄは、設定可否判定部２２７を具備する。同図において、図４に対応する部分には同一の符号（２２１、２２３〜２２７）を付し、説明を省略する。通信制御部２２２ｄは、図４における通信制御部２２２とは、後述する部分のみが異なる。以下、図１９に示すシーケンスのうち、本実施形態において第４の実施形態と異なる部分のみを説明する。
【０１６５】
本実施形態では、シーケンスＳ１２０３のＰＤＮコネクティビティ要求を受信したＭＭＥ装置２２ｄの通信制御部２２２ｄは、サブスクリプションデータの中から、移動端末装置４０向けに割り当てられたＩＰｖ６プレフィックス１を取得する。そして、ＭＭＥ装置２２ｄは、ＭＮＰ１にその値を格納したベアラ設定要求をＳ−ＧＷ装置２３に送信する（Ｓ１２０４）。
【０１６６】
これにより、シーケンスＳ１２０６において、ＰＤＮ−ＧＷ装置２１ｃは、ベアラ設定要求で指定されたＭＮＰ１、すなわち移動端末装置４０向けに割り当てられたＩＰｖ６プレフィックス１を用いたＰＤＮアドレスをＰＤＮコネクション２に割り当てる。結果として、ＴＥ装置４１ａには移動端末装置４０と同じＩＰｖ６プレフィックスが割り当てられる。以後、他のＴＥが移動端末装置４０に接続した場合にも、同様の処理を繰り返す。従って、移動端末装置４０及び移動端末装置４０に接続するＴＥには下位６４ビットのみが異なるＩＰｖ６アドレスが割当てられ、ＩＰｖ６アドレスのアドレス空間を有効に利用することができる。
【０１６７】
［第６の実施の形態］
以下、図面を参照して、本発明の第６の実施形態について説明する。本実施形態における移動体通信システム１０ｅは、第１の実施形態の移動体通信システム１０と同様の構成を有するが、移動端末装置４０に替えて移動端末装置４０ｅを備える点のみが異なる。これにより、第１の実施形態では、ＴＥ装置４１ａからのルータ探索の受信をきっかけにして、ＰＤＮコネクティビティ確立のシーケンスが開始されるのに対し、本実施形態では、ＴＥ装置４１ａから外部ＰＤＮ５０へのパケット送信時にＰＤＮコネクティビティの確立を行う。
【０１６８】
図２１は、移動端末装置４０ｅの構成を示す概略ブロック図である。移動端末装置４０ｅは、コネクション要求部４０１ｅ、アドレスブロック記憶部４０４、ルータ機能部４０５、アドレス割当部４０６、無線通信部４０７、ＴＥ接続無線通信部４０８を具備する。コネクション要求部４０１ｅは、アタッチ要求部４０２とＴＥ用コネクション要求部４０３ｅとを具備する。同図において、図７と同じ部分には同一の符号（４０２、４０４〜４０８）を付し、説明を省略する。ＴＥ用コネクション要求部４０３ｅは、ＴＥ装置４１ａ、４１ｂから受信したユーザデータの宛先が外部ＰＤＮ５０であるときにＴＥ用ＰＤＮコネクションの設定をコアネットワーク２０に要求し、要求により設定されたＴＥ用ＰＤＮコネクションに割り当てられたアドレスブロックを示す情報を、コアネットワーク２０から受信する。
【０１６９】
図２２は、ＴＥ装置４１ａが外部ＰＤＮ５０との通信を行うための接続シーケンス例を示す図である。この接続シーケンス例は、既に図９に示した第１の実施形態の移動端末装置４０のＥＰＳアタッチシーケンスが完了している状態から開始するシーケンスである。なお、移動端末装置４０ｅは、自身の管理情報領域にＴＥに割り当てるためのＭＮＰ１をあらかじめ格納しておく。このＭＮＰ１は、過去の設定を保存しておく方法でもよいし、移動端末装置４０ｅのＥＰＳアタッチシーケンス時に、コアネットワーク２０からダウンロードしてきてもよい。
【０１７０】
まず、移動端末装置４０ｅは、ＴＥ装置４１ａからルータ探索を受信する（Ｓ１３０１）。移動端末装置４０ｅは、管理情報領域に記録されているＭＮＰ１からＩＰｖ６プレフィックス２を取り出し、それを格納したルータ広告をＴＥ装置４１ａに送信する（Ｓ１３０２）。ＴＥ装置４１ａは、受信したルータ広告に従ってＩＰｖ６アドレスの生成し、移動端末装置４０との間で、生成したＩＰｖ６アドレスについて重複アドレス検出（Duplicate Address Detection；ＤＡＤ）を行う（Ｓ１３０３）。
【０１７１】
移動端末装置４０ｅが、ＴＥ装置４１ｂからルータ探索を受信した場合（Ｓ１３０４）についても、同様にして、ＩＰｖ６プレフィックス２を格納したルータ広告をＴＥ装置４１ｂに送信し（Ｓ１３０５）、ＴＥ装置４１ｂは受信したルータ広告に基づいてＩＰｖ６アドレスの生成および重複アドレス検出を行う（Ｓ１３０６）。
【０１７２】
ＴＥ装置４１ａが、ＭＴ接続無線通信部４１２経由でユーザデータを送信する（Ｓ１３０７）と、移動端末装置４０ｅは、そのユーザデータを受信し、該ユーザデータの送信先アドレスを確認する。送信先アドレスがＭＮＰ１もしくは移動端末装置４０ｅ自身と一致したときには、新しいＰＤＮコネクションの確立は行わず、送信先ノードにユーザデータを転送する（Ｓ１３０８）。
【０１７３】
送信先アドレスがそれらと一致しなかったとき（Ｓ１３０９）には、移動端末装置４０ｅは、そのユーザデータが外部ＰＤＮ５０向けの通信データであると判断し、新しいＰＤＮコネクション２の確立を行う。このＰＤＮコネクションの確立は、図１０に示した第１の実施形態のシーケンスＳ１００２からＳ１０１５と同じ処理を行う。ＰＤＮコネクション２が確立した後は、ＰＤＮ−ＧＷ装置２１からＴＥ装置４１ａ宛に転送されたユーザデータは、Ｓ−ＧＷ装置２３およびＥＮＢ装置３１を経由して移動端末装置４０ｅまで転送され（図１０のシーケンスＳ１０１６）、移動端末装置４０ｅは、このユーザデータをＴＥ装置４１ａに転送する（Ｓ１３１０）。一方、ＴＥ装置４１ａが外部ＰＤＮ５０向けに送信したユーザデータは、ＰＤＮ−ＧＷ装置２１まで転送され、ＰＤＮ−ＧＷ装置２１により外部ＰＤＮ５０に向けて送出される（Ｓ１３１１）。
【０１７４】
また、ＭＭＥ装置２２は、シーケンスＳ１０１５のベアラ更新応答を受信したあと、位置情報更新要求をＨＳＳ装置２４に送信する（Ｓ１３１２）。この位置情報更新要求には確立したＰＤＮコネクション２の情報が含まれており、ＡＰＮとＰＤＮコネクションＩＤ２とＰＤＮ−ＧＷのアドレスとＭＮＰタイプ１とＭＮＰ１が含まれる。ＨＳＳ装置２４は、これらの情報を加入者のサブスクリプションデータに格納し、移動端末装置４０ｅの電源ＯＦＦ／ＯＮなどによって移動端末装置４０ｅが再度ＥＰＳへのアタッチ及びＰＤＮコネクティビティ要求を行う際には、同じＭＮＰ１が割り当てられるようにする。さらにＨＳＳ装置２４は位置情報更新応答をＭＭＥ装置２２に送信する（Ｓ１３１３）。
【０１７５】
なお、シーケンスＳ１０１１のＰＤＮコネクティビティ許可を受信したときに、移動端末装置４０ｅがＴＥ用にＰＤＮコネクティビティ許可から取得したＭＮＰ１の値と、移動端末装置４０ｅが管理情報領域に保持しているＭＮＰ１の値とが一致しないときは、移動端末装置４０ｅは、ＰＤＮコネクティビティ許可から取得したＭＮＰ１を用いたルータ広告をＴＥ装置４１ａおよびＴＥ装置４２ｂに送信する。さらに、管理情報領域に保持していたＭＮＰ１を用いたルータ広告をゼロライフタイムに設定して送信し、ＴＥ装置４１ａおよびＴＥ装置４２ｂが新しいＭＮＰ１から生成したＩＰアドレスのみを用いて通信を行うように促す。
【０１７６】
このように本実施の形態では、外部ＰＤＮ５０への通信が発生したときに初めてＰＤＮコネクション確立を行うため、ＴＥおよび移動端末装置４０ｅ同士がローカル通信のみを行っている限り、コアネットワーク２０ならびに無線アクセスネットワーク３０のリソースを消費せずに済む。
【０１７７】
また、図２におけるＰＤＮコネクション設定部２１２、ユーザデータ転送部２１５、および図３におけるユーザデータ転送部２３２、通信制御部２３５、および図４における通信制御部２２２、および図５における制御部２４２、図６における通信制御部３１２、図７におけるコネクション要求部４０１、ルータ機能部４０５、アドレス割当部４０６、図８における制御部４１１、および図１２におけるコネクション要求部４０１ａ、ルータ機能部４０５、アドレス割当部４０６、および図１４におけるＰＤＮコネクション設定部２１２、ユーザデータ転送部２１５、ＤＨＣＰサーバ部２１７、および図１５におけるコネクション要求部４０１、ルータ機能部４０５、アドレス割当部４０６、ＤＨＣＰクライアント部４０９、および図１７におけるＰＤＮコネクション設定部２１２ｃ、ユーザデータ転送部２１５、および図１８におけるコネクション要求部４０１ｃ、ルータ機能部４０５、アドレス割当部４０６、および図２０における通信制御部２２２ｄ、および図２１におけるコネクション要求部４０１ｅ、ルータ機能部４０５、アドレス割当部４０６の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【０１７８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１７９】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【０１８０】
本発明は、移動体通信システムに用いて好適であるが、これに限定されない。
【符号の説明】
【０１８１】
１０…移動体通信システム
２０…コアネットワーク
２１、２１ｂ、２１ｃ…ＰＤＮ−ＧＷ装置
２２、２２ｄ…ＭＭＥ装置
２３…Ｓ−ＧＷ装置
２４…ＨＳＳ装置
３０…無線アクセスネットワーク
３１…ＥＮＢ装置
４０、４０ａ、４０ｂ、４０ｃ、４０ｅ…移動端末装置
４１ａ、４１ｂ…ＴＥ装置
５０…外部ＰＤＮ
２１１…アドレスブロック保持部
２１２、２１２ｃ…ＰＤＮコネクション設定部
２１３…Ｓ−ＧＷ接続Ｉ／Ｆ部
２１４…ＰＤＮコネクション保持部
２１５…ユーザデータ転送部
２１６…ＰＤＮ接続Ｉ／Ｆ部
２１７…ＤＨＣＰサーバ部
２２１…ＨＳＳ接続Ｉ／Ｆ部
２２２、２２２ｄ…通信制御部
２２３…ＥＮＯＤＥＢ接続Ｉ／Ｆ部
２２４…位置情報保持部
２２５…加入者情報保持部
２２６…Ｓ−ＧＷ接続Ｉ／Ｆ部
２２７…設定可否判定部
２３１…ＰＤＮコネクション保持部
２３２…ユーザデータ転送部
２３３…ＥＮＯＤＥＢ接続Ｉ／Ｆ部
２３４…ＰＤＮ−ＧＷ接続Ｉ／Ｆ部
２３５…通信制御部
２３６…ＭＭＥ接続Ｉ／Ｆ部
２４１…ＭＭＥ接続Ｉ／Ｆ部
２４２…制御部
２４３…位置情報保持部
２４４…加入者情報保持部
３１１…無線通信部
３１２…通信制御部
３１３…Ｓ−ＧＷ接続Ｉ／Ｆ部
３１４…ＭＭＥ接続Ｉ／Ｆ部
４０１、４０１ａ、４０１ｃ、４０１ｅ…コネクション要求部
４０２、４０２ａ…アタッチ要求部
４０３、４０３ｃ、４０３ｅ…ＴＥ用コネクション要求部
４０４…アドレスブロック記憶部
４０５…ルータ機能部
４０６、４０６ｃ…アドレス割当部
４０７…無線通信部
４０８…ＴＥ接続無線通信部
４０９…ＤＨＣＰクライアント部
４１１…制御部
４１２…ＭＴ接続無線通信部
【図１】
0005550193.tif 000002
【図２】
0005550193.tif 000003
【図３】
0005550193.tif 000004
【図４】
0005550193.tif 000005
【図５】
0005550193.tif 000006
【図６】
0005550193.tif 000007
【図７】
0005550193.tif 000008
【図８】
0005550193.tif 000009
【図９】
0005550193.tif 000010
【図１０】
0005550193.tif 000011
【図１１】
0005550193.tif 000012
【図１２】
0005550193.tif 000013
【図１３】
0005550193.tif 000014
【図１４】
0005550193.tif 000015
【図１５】
0005550193.tif 000016
【図１６】
0005550193.tif 000017
【図１７】
0005550193.tif 000018
【図１８】
0005550193.tif 000019
【図１９】
0005550193.tif 000020
【図２０】
0005550193.tif 000021
【図２１】
0005550193.tif 000022
【図２２】
0005550193.tif 000023